(57)【要約】  本開示は、通信技術の分野に属する、チャネルと信号の伝送方法及び通信機器を提供する。送信側に適用する通信機器のチャネルと信号伝送方法は、少なくとも２つのデータ伝送リソースを伝送する時、信号及びチャネルのうちの少なくとも１つである前記データ伝送リソースを、前記データ伝送リソースの準同一位置ＱＣＬ情報及び所定規則のうちの少なくとも１つに従って送信するステップを有する。
2021520128.tif 000002
【特許請求の範囲】
【請求項１】
送信側通信機器に適用するチャネルと信号の伝送方法であって、
少なくとも２つのデータ伝送リソースを伝送する時、信号及びチャネルのうちの少なくとも１つである前記データ伝送リソースを、前記データ伝送リソースの準同一位置ＱＣＬ情報及び所定規則のうちの少なくとも１つに従って送信するステップを有する、方法。
【請求項２】
前記信号は、参照信号ＲＳを含む、請求項１に記載のチャネルと信号の伝送方法。
【請求項３】
前記ＱＣＬ情報は、タイプＡ、タイプＢ、及びタイプＣのＱＣＬ情報を含み、前記伝送方法は、具体的に、
前記少なくとも２つのデータ伝送リソースのそれぞれのＱＣＬ情報を用いて、対応するデータ伝送リソースを送信するステップを有する、請求項１に記載のチャネルと信号の伝送方法。
【請求項４】
前記ＱＣＬ情報は、タイプＤのＱＣＬ情報を含み、前記伝送方法は、具体的に、
前記少なくとも２つのデータ伝送リソースを同じシンボル上で多重化して伝送できるかどうかを判断するステップと、
前記少なくとも２つのデータ伝送リソースを同じシンボル上で多重化して伝送できる場合、前記データ伝送リソースのＱＣＬ情報を決定し、決定されたＱＣＬ情報を用いて同じシンボル上で対応するデータ伝送リソースを送信するステップと、
前記少なくとも２つのデータ伝送リソースを同じシンボル上で多重化して伝送できない場合、前記少なくとも２つのデータ伝送リソースのそれぞれのＱＣＬ情報を用いて、対応するデータ伝送リソースを送信するか、又は、前記少なくとも２つのデータ伝送リソースの優先度を決定し、そのうちの最も優先度の高いデータ伝送リソースを送信するステップと、を有する、請求項１に記載のチャネルと信号の伝送方法。
【請求項５】
前記の前記少なくとも２つの前記データ伝送リソースを同じシンボル上で多重化して伝送できる場合、前記データ伝送リソースのＱＣＬ情報を決定し、決定されたＱＣＬ情報を用いて同じシンボル上で対応するデータ伝送リソースを送信するステップは、
前記少なくとも２つのデータ伝送リソースが同じＱＣＬ情報を有する場合、前記同じＱＣＬ情報を用いて前記少なくとも２つの前記データ伝送リソースを送信するステップ、又は、
前記少なくとも２つのデータ伝送リソースが異なるＱＣＬ情報を有する場合、そのうちの最も高い優先度のデータ伝送リソースのＱＣＬ情報を用いて、前記少なくとも２つの前記データ伝送リソースを送信するか、又はそのうちの最も優先度の高いデータ伝送リソースを送信するステップを含む、請求項４に記載のチャネルと信号の伝送方法。
【請求項６】
請求項４又は５に記載のチャネルと信号の伝送方法であって、
Ａ．前記少なくとも２つの前記データ伝送リソースのうち、ネットワーク側機器が設定又は指示したＱＣＬ情報が有効であるデータ伝送リソースの優先度は、ネットワーク側機器が設定又は指示したＱＣＬ情報が有効でないデータ伝送リソースの優先度よりも高くとする方式と、
Ｂ．前記少なくとも２つの前記データ伝送リソースのうち、非周期的に伝送されるデータ伝送リソースの優先度が周期的に伝送されるデータ伝送リソースの優先度より高くとする方式と、
Ｃ．少なくとも２つの非周期的に伝送されるデータ伝送リソースのうち、ネットワーク側機器が設定又は指示したＱＣＬ情報が最近に有効であるデータ伝送リソースの優先度は、最も高くとする方式と、
Ｄ．異なるセルの周期的に伝送されるデータ伝送リソースのうち、プライマリサービングセルＰＣｅｌｌのデータ伝送リソースの優先度は、セカンダリサービングセルＳＣｅｌｌのデータ伝送リソースの優先度より高くとする方式と、
Ｅ．前記少なくとも２つのデータ伝送リソースのうち、物理ダウンリンク制御チャネルＰＤＣＣＨの優先度は、物理ダウンリンク共用チャネルＰＤＳＣＨの優先度より高く、ＰＤＳＣＨの優先度はチャネル状態情報参照信号ＣＳＩ−ＲＳの優先度より高くとする方式と、
Ｆ．前記少なくとも２つの前記データ伝送リソースのうち、物理アップリンク共用チャネルＰＵＳＣＨの優先度は、物理アップリンク制御チャネルＰＵＣＣＨの優先度より高く、ＰＵＣＣＨの優先度はサウンディング参照信号ＳＲＳの優先度より高くとする方式と、
のうちの少なくとも１つの方式でデータ伝送リソースの優先度を決定する、請求項４又は５に記載のチャネルと信号の伝送方法。
【請求項７】
所定順序に従って、Ａ〜Ｆのうちの少なくとも２種類の方式を順次使用して、前記データ伝送リソースの優先度を決定する、請求項６に記載のチャネルと信号の伝送方法。
【請求項８】
前記所定順序に従って、前記少なくとも２種類の方式のうちの第１種類の方式を用いて前記データ伝送リソースの優先度を決定した後、同じ優先度の少なくとも２つのデータ伝送リソースが存在する場合、前記少なくとも２種類の方式のうちの他の方式を用いて、前記少なくとも２つのデータ伝送リソースの優先度を決定する、請求項７に記載のチャネルと信号の伝送方法。
【請求項９】
Ａ〜Ｆのうちの少なくとも２種類の方式を用いて前記データ伝送リソースの優先度を決定した後、同じ優先度の少なくとも２つのデータ伝送リソースが存在する場合、前記少なくとも２つのデータ伝送リソースの優先度を設定する、請求項８に記載のチャネルと信号の伝送方法。
【請求項１０】
前記周期的に伝送されるデータ伝送リソースは、同期信号ブロックＳＳＢ、周期的ＣＳＩ−ＲＳ、半永続的ＣＳＩ−ＲＳ、周期的ＳＲＳ、半永続的ＳＲＳ、ＰＤＣＣＨ、ＰＵＣＣＨ、半静的スケジューリングＰＤＳＣＨ、半静的スケジューリングＰＵＳＣＨのうちの少なくとも１つを含み、
前記非周期的に伝送されるデータ伝送リソースは、非周期的ＣＳＩ−ＲＳ、非周期的ＳＲＳ、動的スケジューリングＰＤＳＣＨ、動的スケジューリングＰＵＳＣＨのうちの少なくとも１つを含む、請求項６に記載のチャネルと信号の伝送方法。
【請求項１１】
多重化方式は周波数分割多重化である、請求項４に記載のチャネルと信号の伝送方法。
【請求項１２】
前記送信側通信機器は、１つの時刻に１つのビームを送信する、請求項４に記載のチャネルと信号の伝送方法。
【請求項１３】
前記データ伝送リソースがダウンリンクに適用される場合、前記少なくとも２つのデータ伝送リソースは、
ＳＳＢとＰＤＳＣＨ、
ＣＳＩ−ＲＳとＰＤＳＣＨ、
ＰＤＣＣＨとＰＤＳＣＨ、
ＣＳＩ−ＲＳとＰＤＣＣＨ、
ＣＳＩ−ＲＳとＳＳＢ、
ＰＤＣＣＨとＰＤＣＣＨ、
ＣＳＩ−ＲＳとＣＳＩ−ＲＳ、
ＰＤＳＣＨとＰＤＳＣＨ、
無線リソース管理ＲＲＭ用の参照信号ＲＳ及び他のチャネル又は信号、
のうちの少なくとも１つの組み合わせを含み、
前記データ伝送リソースがアップリンクに適用される場合、前記データ伝送リソースは、
ＰＵＣＣＨとＰＵＣＣＨ、
ＰＵＳＣＨとＰＵＳＣＨ、
ＳＲＳとＳＲＳ、
のうちの少なくとも１つの組み合わせを含む、請求項１に記載のチャネルと信号の伝送方法。
【請求項１４】
受信側通信機器に適用するチャネルと信号の伝送方法であって、
少なくとも２つのデータ伝送リソースを伝送する時、信号及びチャネルのうちの少なくとも１つである前記データ伝送リソースを、前記データ伝送リソースの準同一位置ＱＣＬ情報及び所定規則のうちの少なくとも１つに従って受信するステップを有する、方法。
【請求項１５】
前記信号は、参照信号ＲＳを含む、請求項１４に記載のチャネルと信号の伝送方法。
【請求項１６】
前記ＱＣＬ情報は、タイプＡ、タイプＢ、及びタイプＣのＱＣＬ情報を含み、前記伝送方法は、具体的に、
前記少なくとも２つのデータ伝送リソースのそれぞれのＱＣＬ情報を用いて、対応するデータ伝送リソースを受信するステップを有する、請求項１４に記載のチャネルと信号の伝送方法。
【請求項１７】
前記ＱＣＬ情報は、タイプＤのＱＣＬ情報を含み、前記伝送方法は、具体的に、
前記少なくとも２つのデータ伝送リソースを同じシンボル上で多重化して伝送できるかどうかを判断するステップと、
前記少なくとも２つのデータ伝送リソースを同じシンボル上で多重化して伝送できる場合、前記データ伝送リソースのＱＣＬ情報を決定し、決定されたＱＣＬ情報を用いて同じシンボル上で対応するデータ伝送リソースを受信するステップと、
前記少なくとも２つのデータ伝送リソースを同じシンボル上で多重化して伝送できない場合、前記少なくとも２つのデータ伝送リソースのそれぞれのＱＣＬ情報を用いて、対応するデータ伝送リソースを受信するか、又は、前記少なくとも２つのデータ伝送リソースの優先度を決定し、そのうちの最も優先度の高いデータ伝送リソースを受信するステップと、有する、請求項１４に記載のチャネルと信号の伝送方法。
【請求項１８】
前記の前記少なくとも２つの前記データ伝送リソースを同じシンボル上で多重化して伝送できる場合、前記データ伝送リソースのＱＣＬ情報を決定し、決定されたＱＣＬ情報を用いて同じシンボル上で対応するデータ伝送リソースを受信するステップは、
前記少なくとも２つのデータ伝送リソースが同じＱＣＬ情報を有する場合、前記同じＱＣＬ情報を用いて前記少なくとも２つの前記データ伝送リソースを受信するステップ、又は
前記少なくとも２つのデータ伝送リソースが異なるＱＣＬ情報を有する場合、そのうちの最も高い優先度のデータ伝送リソースのＱＣＬ情報を用いて、前記少なくとも２つの前記データ伝送リソースを受信するか、又はそのうちの最も優先度の高いデータ伝送リソースを受信するステップ、を有する、請求項１７に記載のチャネルと信号の伝送方法。
【請求項１９】
請求項１７又は１８に記載のチャネルと信号の伝送方法であって、
Ａ．前記少なくとも２つの前記データ伝送リソースのうち、ネットワーク側機器が設定又は指示したＱＣＬ情報が有効であるデータ伝送リソースの優先度は、ネットワーク側機器が設定又は指示したＱＣＬ情報が有効でないデータ伝送リソースの優先度よりも高くとする方式と、
Ｂ．前記少なくとも２つの前記データ伝送リソースのうち、非周期的に伝送されるデータ伝送リソースの優先度が周期的に伝送されるデータ伝送リソースの優先度より高くとする方式と、
Ｃ．少なくとも２つの非周期的に伝送されるデータ伝送リソースのうち、ネットワーク側機器が設定又は指示したＱＣＬ情報が最近に有効であるデータ伝送リソースの優先度は、最も高くとする方式と、
Ｄ．異なるセルの周期的に伝送されるデータ伝送リソースのうち、プライマリサービングセルＰＣｅｌｌのデータ伝送リソースの優先度は、セカンダリサービングセルＳＣｅｌｌのデータ伝送リソースの優先度より高くとする方式と、
Ｅ．前記少なくとも２つのデータ伝送リソースのうち、物理ダウンリンク制御チャネルＰＤＣＣＨの優先度は、物理ダウンリンク共用チャネルＰＤＳＣＨの優先度より高く、ＰＤＳＣＨの優先度はチャネル状態情報参照信号ＣＳＩ−ＲＳの優先度より高くとする方式と、
Ｆ．前記少なくとも２つの前記データ伝送リソースのうち、物理アップリンク共用チャネルＰＵＳＣＨの優先度は、物理アップリンク制御チャネルＰＵＣＣＨの優先度より高く、ＰＵＣＣＨの優先度はサウンディング参照信号ＳＲＳの優先度より高くとする方式と、
のうちの少なくとも１つの方式でデータ伝送リソースの優先度を決定する、請求項１７又は１８に記載のチャネルと信号の伝送方法。
【請求項２０】
所定順序に従って、Ａ〜Ｆのうちの少なくとも２種類の方式を順次使用して、前記データ伝送リソースの優先度を決定する、請求項１９に記載のチャネルと信号の伝送方法。
【請求項２１】
前記所定順序に従って、前記少なくとも２種類の方式のうちの第１種類の方式を用いて前記データ伝送リソースの優先度を決定した後、同じ優先度の少なくとも２つのデータ伝送リソースが存在する場合、前記少なくとも２種類の方式のうちの他の方式を用いて、前記少なくとも２つのデータ伝送リソースの優先度を決定する、請求項２０に記載のチャネルと信号の伝送方法。
【請求項２２】
Ａ〜Ｆのうちの少なくとも２種類の方式を用いて前記データ伝送リソースの優先度を決定した後、同じ優先度の少なくとも２つのデータ伝送リソースが存在する場合、前記少なくとも２つのデータ伝送リソースの優先度を設定する、請求項２１に記載のチャネルと信号の伝送方法。
【請求項２３】
前記周期的に伝送されるデータ伝送リソースは、同期信号ブロックＳＳＢ、周期的ＣＳＩ−ＲＳ、半永続的ＣＳＩ−ＲＳ、周期的ＳＲＳ、半永続的ＳＲＳ、ＰＤＣＣＨ、ＰＵＣＣＨ、半静的スケジューリングＰＤＳＣＨ、半静的スケジューリングＰＵＳＣＨのうちの少なくとも１つを含み、
前記非周期的に伝送されるデータ伝送リソースは、非周期的ＣＳＩ−ＲＳ、非周期的ＳＲＳ、動的スケジューリングＰＤＳＣＨ、動的スケジューリングＰＵＳＣＨのうちの少なくとも１つを含む、請求項１９に記載のチャネルと信号の伝送方法。
【請求項２４】
多重化方式は、周波数分割多重化である、請求項１７に記載のチャネルと信号の伝送方法。
【請求項２５】
前記受信側通信機器は、１つの時刻に１つのビームを受信する、請求項１７に記載のチャネルと信号の伝送方法。
【請求項２６】
前記データ伝送リソースがダウンリンクに適用される場合、前記データ伝送リソースは、
ＳＳＢとＰＤＳＣＨ、
ＣＳＩ−ＲＳとＰＤＳＣＨ、
ＰＤＣＣＨとＰＤＳＣＨ、
ＣＳＩ−ＲＳとＰＤＣＣＨ、
ＣＳＩ−ＲＳとＳＳＢ、
ＰＤＣＣＨとＰＤＣＣＨ、
ＣＳＩ−ＲＳとＣＳＩ−ＲＳ、
ＰＤＳＣＨとＰＤＳＣＨ、
無線リソース管理ＲＲＭ用の参照信号ＲＳ及び他のチャネル又は信号、
のうちの少なくとも１つの組み合わせを含み、
さらに、前記データ伝送リソースがアップリンクに適用される場合、前記データ伝送リソースは、
ＰＵＣＣＨとＰＵＣＣＨ、
ＰＵＳＣＨとＰＵＳＣＨ、
ＳＲＳとＳＲＳ、
のうちの少なくとも１つの組み合わせを含む、請求項１４に記載のチャネルと信号の伝送方法。
【請求項２７】
送信側に適用する通信機器であって、
少なくとも２つのデータ伝送リソースを伝送する時、信号及びチャネルのうちの少なくとも１つである前記データ伝送リソースを、前記データ伝送リソースの準同一位置ＱＣＬ情報及び所定規則のうちの少なくとも１つに従って送信する送信モジュールを備える、通信機器。
【請求項２８】
受信側に適用する通信機器であって、
少なくとも２つのデータ伝送リソースを伝送する時、信号及びチャネルのうちの少なくとも１つである前記データ伝送リソースを、前記データ伝送リソースの準同一位置ＱＣＬ情報及び所定規則のうちの少なくとも１つに従って受信する受信モジュールを備える、通信機器。
【請求項２９】
メモリと、プロセッサと、メモリに記憶され、プロセッサで実行可能なコンピュータプログラムと、を備える通信機器であって、
前記コンピュータプログラムが前記プロセッサによって実行されると、請求項１〜１３のいずれか１項に記載のチャネルと信号の伝送方法のステップ、又は、請求項１４〜２６のいずれか１項に記載のチャネルと信号の伝送方法のステップを実現させる、通信機器。
【請求項３０】
プロセッサによって実行されると、請求項１〜１３のいずれか１項に記載のチャネルと信号の伝送方法のステップ、又は、請求項１４〜２６のいずれか１項に記載のチャネルと信号の伝送方法のステップを実現させるコンピュータプログラムを記憶する、コンピュータ可読記憶媒体。
【発明の詳細な説明】
【技術分野】
【０００１】
本出願は、2018年04月04に中国庁に出願された、出願番号が201810301846.7である中国特許出願を基礎出願とする優先権を主張し、前記中国特許出願の開示内容の全てが参照により本出願に取り込まれる。
本開示は、通信技術の分野に関し、特に、チャネルと信号の伝送方法及び通信機器に関する。
【背景技術】
【０００２】
ロングタームエボリューション（Ｌｏｎｇ  Ｔｅｒｍ  Ｅｖｏｌｕｔｉｏｎ、ＬＴＥ）／ＬＴＥのエボリューション（ＬＴＥ−Ａｄｖａｎｃｅｄ、ＬＴＥ−Ａ）等の無線アクセス技術規格は、いずれも多入力多出力（Ｍｕｌｔｉｐｌｅ−Ｉｎｐｕｔ  Ｍｕｌｔｉｐｌｅ−Ｏｕｔｐｕｔ、ＭＩＭＯ）＋  直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）技術をベースに構築されている。ＭＩＭＯ技術は、マルチアンテナシステムによって得られる空間自由度を利用して、ピークレートとシステムスペクトル効率を向上させる。
【０００３】
標準化の発展過程において、ＭＩＭＯ技術の次元は絶えず拡張されている。ＬＴＥ  Ｒｅｌ−８において、最大４層のＭＩＭＯ伝送をサポートできる。Ｒｅｌ−９において、マルチユーザ多入力多出力（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ、ＭＵ−ＭＩＭＯ）技術が強化され、伝送モード（Ｔｒａｎｓｍｉｓｓｉｏｎ  Ｍｏｄｅ、ＴＭ）−８のＭＵ−ＭＩＭＯ（Ｍｕｌｔｉ−Ｕｓｅｒ  ＭＩＭＯ）伝送では最大４つのダウンリンクデータ層をサポートできる。Ｒｅｌ−１０において、シングルユーザ多入力多出力（Ｓｉｎｇｌｅ−Ｕｓｅｒ  ＭＩＭＯ、ＳＵ−ＭＩＭＯ）の伝送能力を最大８個のデータ層に拡張することができる。
【０００４】
産業界は、さらに、ＭＩＭＯ技術を３次元（Ｔｈｒｅｅ  Ｄｉｍｅｎｓｉｏｎｓ、３Ｄ）化及び大規模化の方向にむけて推進している。現在、３Ｄチャネルモデリングに関する研究プロジェクトは、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）によって進行され、ｅＦＤ−ＭＩＭＯ及び新無線（Ｎｅｗ  Ｒａｄｉｏ、ＮＲ）ＭＩＭＯに関する研究及び標準化作業が進められている。今後の５Ｇ移動通信システムでは、より大規模でより多くのアンテナポートのＭＩＭＯ技術が導入されることが予想される。
【０００５】
大規模（ｍａｓｓｉｖｅ）ＭＩＭＯ技術は、大規模なアンテナアレイを使用し、システム帯域利用効率を大きく向上させ、より多くのアクセスユーザをサポートできる。したがって、各大研究団体は、ｍａｓｓｉｖｅ  ＭＩＭＯ技術を次世代モバイル通信システムにおける最も有望な物理層技術の１つと見なしている。
【０００６】
ｍａｓｓｉｖｅ  ＭＩＭＯ技術において、オールデジタルアレイを採用すれば、最大の空間分解能と最適なＭＵ−ＭＩＭＯ性能を実現できるが、このような構成は、大量のデジタルアナログ（ＤＡ）／アナログデジタル（ＡＤ）変換器と大量の完全な無線周波数−ベースバンド処理チャネルを必要とし、機器コストとベースバンド処理の複雑度のいずれにおいても大きな負担となる。
【０００７】
上述した実現コスト及び機器複雑度を回避するために、ハイブリッドビームフォーミング技術が開発され、即ち、従来のデジタル領域ビームフォーミングに基づいて、アンテナシステムのフロントエンドの近くで、無線周波数信号に１段のビームフォーミングを増加する。アナログフォーミングは、より簡単な方式で、送信信号とチャネルとの比較的大まかなマッチングを可能にする。アナログフォーミング後に形成される等価チャネルの次元は、実際のアンテナの数よりも小さいため、その後に必要なＡＤ／ＤＡ変換器、デジタルチャネルの数、及びそれに伴うベースバンド処理の複雑度を大幅に低減することができる。アナログフォーミング部分の残留干渉は、デジタル領域で再度処理され、ＭＵ−ＭＩＭＯ伝送の品質が保証される。オールデジタルフォーミングと比較して、ハイブリッドビームフォーミングは、性能と複雑度のトレードオフの方案であり、高周波数帯域の広い帯域幅又はアンテナ数の多いシステムにおいて、より高い実用性が期待されている。
【０００８】
関連技術では、少なくとも２つのチャネルと信号がアップリンク又はダウンリンクで伝送され、高周波システム（６ＧＨｚ以上の周波数帯域の通信システム）では、送信側は関連技術に従ってこれらのチャネルと信号のＱＣＬ情報、例えば、ＴＣＩの状態で指示されるチャネル又は信号の時空間周波数パラメータを決定し、受信側では、これらのパラメータに応じて受信を行う。関連技術では、種々の少なくとも２つのチャネル及び信号が同じシンボル上で多重化され得るかどうかを判定する規則や、同じシンボル上で多重化する方法が明確になっておらず、基地局と端末とで、伝送すべきチャネル又は信号の関連パラメータに対する理解が一致せず、結果として、チャネル又は信号が正確に受信できない不具合がある。
【発明の概要】
【０００９】
本開示は、基地局と端末とで、伝送すべきチャネル又は信号の関連パラメータに対する理解が一致せず、チャネル又は信号が正確に受信できない不具合を解決可能な、チャネル及び信号の伝送方法及び通信機器を提供する。
【００１０】
上記の技術的問題を解決するために、本開示の実施例は、以下のような技術案を提供する。
【００１１】
第１態様では、本開示の実施例は、送信側の通信機器に適用するチャネル及び信号の伝送方法を提供する。前記方法は、
少なくとも２つのデータ伝送リソースを伝送する時、信号及びチャネルのうちの少なくとも１つである前記データ伝送リソースを、前記データ伝送リソースの準同一位置ＱＣＬ情報、及び所定規則のうちの少なくとも１つに従って送信するステップを有する。
【００１２】
第２態様では、本開示の実施例は、受信側の通信機器に適用するチャネル及び信号の伝送方法を提供する。前記方法は、
少なくとも２つのデータ伝送リソースを伝送する時、信号及びチャネルのうちの少なくとも１つである前記データ伝送リソースを、前記データ伝送リソースの準同一位置ＱＣＬ情報、及び所定規則のうちの少なくとも１つに従って受信するステップを含む。
【００１３】
第３態様では、本開示の実施例は、送信側に適用する通信機器を提供する。前記通信機器は、
少なくとも２つのデータ伝送リソースを伝送する時、信号及びチャネルのうちの少なくとも１つである前記データ伝送リソースを、前記データ伝送リソースの準同一位置ＱＣＬ情報、及び所定規則のうちの少なくとも１つに従って送信する送信モジュールを備える。
【００１４】
第４態様では、本開示の実施例は、受信側に適用する通信機器を提供する。前記通信機器は、
少なくとも２つのデータ伝送リソースを伝送する時、信号及びチャネルのうちの少なくとも１つである前記データ伝送リソースを、前記データ伝送リソースの準同一位置ＱＣＬ情報、及び所定規則のうちの少なくとも１つに従って受信する受信モジュールを備える。
【００１５】
第５態様では、本開示の実施例は、メモリと、プロセッサと、メモリに記憶され、プロセッサで実行可能なコンピュータプログラムとを備え、前記コンピュータプログラムは、前記プロセッサによって実行される時、上記のチャネルと信号の伝送方法のステップを実施させる、通信機器を提供する。
【００１６】
第６態様では、本開示の実施例は、プロセッサによって実行される時、上記のチャネルと信号の伝送方法のステップを実施させるコンピュータプログラムを記憶したコンピュータ可読記憶媒体を提供する。
【００１７】
本開示の実施例は、以下の有利な効果を有する。
【００１８】
上記の方案において、少なくとも２つのチャネルと信号を伝送しようとする場合、チャネルと信号のＱＣＬ情報及び所定規則のうちの少なくとも１つに従って、チャネルと信号を伝送し、本実施例の技術案によると、チャネルと信号を正しく伝送できる。
【図面の簡単な説明】
【００１９】
以下、本開示の実施例の技術案をより明確に説明するために、本開示の実施例の説明に使用する図面について簡単に説明するが、以下の説明における図面は、本開示の実施例の一部にすぎず、当業者は、格別の創意を要することなく、これらの図面に基づいて他の図面を得られることは明らかである。
【００２０】
【図１】本開示の実施例による送信側のチャネルと信号の伝送方法を示す図である。
【図２】本開示の実施例による受信側のチャネルと信号の伝送方法を示す図である。
【図３】本開示の実施例による送信側の通信機器の構成を示す図である。
【図４】本開示の実施例による受信側の通信機器の構成を示す図である。
【図５】本開示の実施例によるネットワーク側機器の構成を示す図である。
【図６】本開示の実施例によるユーザ機器の構成を示す図である。
【発明を実施するための形態】
【００２１】
以下、図面を参照して、本開示の例示的な実施例を詳細に説明する。本開示の例示的な実施例を図面に示しているが、本開示は、多様な形態で実施されることができ、本明細書に記載された実施例に限定されないことを理解されたい。むしろ、これらの実施例は、本開示のより完全な理解を可能にするため、本開示の範囲を当業者に完全に伝えるために提供される。
【００２２】
本願の明細書及び特許請求の範囲における「第１」、「第２」等の用語は、類似する対象を区分するために使用され、特定の順番又は順序を説明することを意図しない。このように使用されるデータは、本明細書に記載される本願の実施例が、例えば本明細書に図示又は記載されるもの以外の順序で実施され得るように、適宜交換され得ることが理解されるべきである。さらに、「含む」、「備える」という用語ならびにそれらの任意の変形は、非排他的な包含を意味する。例えば、一連のステップ又はユニットを含むプロセス、方法、システム、製品又は機器は、必ずしも当該ステップ又はユニットが明確に列挙されたもののみに限定されず、明確に列挙されていない、又はそのようなプロセス、方法、製品又は機器にとって固有の他のステップ又はユニットも含むことができるという意味である。
【００２３】
４Ｇ以降の次世代通信システムの研究において、システムがサポートする作業周波数帯域を６ＧＨｚ以上、最高で約１００ＧＨｚまで上げる。高周波数帯域は、より豊富なアイドル周波数リソースを有し、データ伝送のためにより大きなスループットを提供できる。現在、３ＧＰＰは、高周波チャネルモデリングを既に完了しており、高周波信号の波長が短く、低周波数帯に比べて、同じ大きさのパネルにより多くのアンテナ素子を配置することができ、ビームフォーミング技術を利用して、より指向性が強く、より狭いローブを有するビームを形成し得る。このため、今後の趨勢の１つとして、大規模なアンテナと高周波通信との組み合わせが挙げられる。
【００２４】
ビーム測定及び報告（ｂｅａｍ  ｍｅａｓｕｒｅｍｅｎｔ  ａｎｄ  ｂｅａｍ  ｒｅｐｏｒｔｉｎｇ）に関して、アナログビームフォーミングは、全帯域幅送信であり、且つ、各高周波アンテナアレイのパネル上の各分極方向アレイ要素は、時分割多重化方式でしかアナログビームを送信することができない。アナログビームのフォーミングウエイトは、無線周波数フロントエンドの移相器等の機器のパラメータを調整することで実現される。
【００２５】
現在、学術界や産業界では、ポーリング方式を用いてアナログビームフォーミングベクトルのトレーニングを行うことが一般的であり、即ち、各アンテナパネルの各分極方向の要素が時分割多重化方式で所定時間にトレーニング信号（即ち、候補のフォーミングベクトル）を順次送信し、端末による測定後にビーム報告がフィードバックされ、ネットワーク側が次の伝送サービス時にこのトレーニング信号を用いてアナログビーム送信を実現する。ビーム報告の内容は、通常、最適な若干の送信ビーム識別子と、測定された各送信ビームの受信電力とを含む。
【００２６】
ビーム指示（ｂｅａｍ  ｉｎｄｉｃａｔｉｏｎ）メカニズムに関し、従来の技術では、ネットワーク側機器は、無線リソース制御（Ｒａｄｉｏ  Ｒｅｓｏｕｒｃｅ  Ｃｏｎｔｒｏｌ、ＲＲＣ）シグナリングを介してユーザ機器（Ｕｓｅｒ  Ｅｑｕｉｐｍｅｎｔ、ＵＥ）に送信設定指示（Ｔｒａｎｓｍｉｓｓｉｏｎ  Ｃｏｎｆｉｇｕｒａｔｉｏｎ  ｉｎｄｉｃａｔｉｏｎ、ＴＣＩ）状態と参照信号（Ｒｅｆｅｒｅｎｃｅ  Ｓｉｇｎａｌ、ＲＳ）との対応関係を設定する。
【００２７】
ＴＣＩが物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）の準同一位置（Ｑｕａｓｉ−ｃｏｌｏｃａｔｉｏｎ、ＱＣＬ）指示に使用される場合、ネットワーク側機器は、ＣＯＲＥＳＥＴごとにＫ個のＴＣＩ状態（ｓｔａｔｅ）を設定し、Ｋ＞１の場合、メディアアクセス制御（Ｍｅｄｉａ  Ａｃｃｅｓｓ  Ｃｏｎｔｒｏｌ、ＭＡＣ）制御要素（Ｃｏｎｔｒｏｌ  ｅｌｅｍｅｎｔ、ＣＥ）が１つのＴＣＩ  ｓｔａｔｅを指示し、Ｋ  ＝１の場合、追加のＭＡＣ  ＣＥシグナリングは必要とされない。ＵＥは、ＣＯＲＥＳＥＴを監視する時、ＣＯＲＥＳＥＴ内の全てのサーチススペース（ｓｅａｒｃｈ  ｓｐａｃｅ）に対して同じＴＣＩ  ｓｔａｔｅを使用する。該ＴＣＩ状態に対応するＲＳセット（ｓｅｔ）におけるＲＳリソース（ｒｅｓｏｕｒｃｅ）（例えば、周期的チャネル周期的チャネル状態情報参照信号（ＣＳＩ  ｒｅｆｅｒｅｎｃｅ  ｓｉｇｎａｌ、ＣＳＩ−ＲＳ）  ｒｅｓｏｕｒｃｅ、半永続的ＣＳＩ−ＲＳ  ｒｅｓｏｕｒｃｅ、ＳＳ  ｂｌｏｃｋ等）とＵＥ−特定（ｓｐｅｃｉｆｉｃ）ＰＤＣＣＨ復調用参照信号（Ｄｅｍｏｄｕｌａｔｉｏｎ  ｒｅｆｅｒｅｎｃｅ  ｓｉｇｎａｌ、ＤＭＲＳ）ポートは、空間的にＱＣＬである。ＵＥは、該ＴＣＩ状態に基づいて、どの受信ビームを用いてＰＤＣＣＨを受信するかを知ることが可能になる。
【００２８】
ＴＣＩがＰＤＳＣＨのＱＣＬ指示に用いられる場合、ネットワークは、２Ｎ個のＴＣＩ  ｓｔａｔｅを活性化し、そして、ダウンリンク制御情報  （Ｄｏｗｎｌｉｎｋ  Ｃｏｎｔｒｏｌ  Ｉｎｆｏｒｍａｔｉｏｎ、ＤＣＩ）のＮ−ｂｉｔ  ＴＣＩフィールド（ｆｉｅｌｄ）を介してＴＣＩ状態を通知する。該ＴＣＩ状態に対応するＲＳ  ｓｅｔにおけるＲＳ  ｒｅｓｏｕｒｃｅとスケジューリング物理ダウンリンク共用チャネル（Ｐｈｙｓｉｃａｌ  Ｄｏｗｎｌｉｎｋ  Ｓｈａｒｅｄ  Ｃｈａｎｎｅｌ、ＰＤＳＣＨ）のＤＭＲＳポートは、ＱＣＬである。ＵＥは、該ＴＣＩ状態に基づいて、どの受信ビームを用いてＰＤＳＣＨを受信するかを知ることが可能となる。ＤＣＩにＴＣＩ  ｆｉｅｌｄが存在する場合と存在しない場合の二者について、スケジューリングオフセットｓｃｈｅｄｕｌｉｎｇ  ｏｆｆｓｅｔ  ＜  ＝  ｋ  （ｓｃｈｅｄｕｌｉｎｇ  ｏｆｆｓｅｔは、ＤＣＩを受信してからＤＣＩが有効になるまでの時間間隔を指す）である場合、ＰＤＳＣＨのＱＣＬはデフォルト（ｄｅｆａｕｌｔ）ＴＣＩ  ｓｔａｔｅを使用する。該ｄｅｆａｕｌｔ  ＴＣＩ  ｓｔａｔｅは、スロット（ｓｌｏｔ）のうちの最小ＩＤを有するＣＯＲＥＳＥＴのＴＣＩ  ｓｔａｔｅである。
ＰＤＣＣＨ及びＰＤＳＣＨの初期ＴＣＩ  ｓｔａｔｅについて、初期ＲＲＣ設定とＭＡＣ  ＣＥ活性化ＴＣＩ  ｓｔａｔｅｓとの間に、ＰＤＣＣＨ  ＤＭＲＳ及びＰＤＳＣＨ  ＤＭＲＳと、初期アクセスにおいて決定された同期信号ブロック（Ｓｙｎｃｈｒｏｎｉｚａｔｉｏｎ  Ｓｉｇｎａｌ  Ｂｌｏｃｋ、ＳＳＢ）とは、空間的にＱＣＬである。
【００２９】
ＴＣＩが物理アップリンク制御チャネル  （Ｐｈｙｓｉｃａｌ  Ｕｐｌｉｎｋ  Ｃｏｎｔｒｏｌ  ＣＨａｎｎｅｌ、ＰＵＣＣＨ）のＱＣＬ指示に用いられる場合、ＲＲＣシグナリングを用いてＰＵＣＣＨビーム指示（ｂｅａｍ  ｉｎｄｉｃａｔｉｏｎ）を行う。使用されるＲＲＣパラメータは、物理アップリンク制御チャネルの空間関係情報（ＰＵＣＣＨ−Ｓｐａｔｉａｌ−ｒｅｌａｔｉｏｎ−ｉｎｆｏ）であり、該ＲＲＣ設定は、ｐｅｒ  ＰＵＣＣＨ  ｒｅｓｏｕｒｃｅに関するものであり、設定されたＰＵＣＣＨ  ｂｅａｍ情報は、ＳＳＢ  ＩＤ又はＣＳＩ−ＲＳリソース指示（ＣＳＩ−ＲＳ  Ｒｒｅｓｏｕｒｃｅ  Ｉｎｄｉｃａｔｏｒ、ＣＲＩ）又はＳＲＳリソース指示（ＳＲＳ  Ｒｒｅｓｏｕｒｃｅ  Ｉｎｄｉｃａｔｏｒ、ＳＲＩ）に関連付けられる。ＰＵＣＣＨ−Ｓｐａｔｉａｌ−ｒｅｌａｔｉｏｎ−ｉｎｆｏが複数のエントリ（ｅｎｔｒｙ）を含む場合、ＭＡＣ−ＣＥを使用して、ＰＵＣＣＨ  ｒｅｓｏｕｒｃｅ及びＰＵＣＣＨ−Ｓｐａｔｉａｌ−ｒｅｌａｔｉｏｎ−ｉｎｆｏの１つのｅｎｔｒｙの空間関係情報（ｓｐａｔｉａｌ  ｒｅｌａｔｉｏｎ  ｉｎｆｏｒｍａｔｉｏｎ）を指示する。ＰＵＣＣＨ−Ｓｐａｔｉａｌ−ｒｅｌａｔｉｏｎ−ｉｎｆｏが１つのＳｐａｔｉａｌ  Ｒｅｌａｔｉｏｎ  Ｉｎｆｏ  ＩＥのみを含む場合、ＵＥは、該設定されたＳｐａｔｉａｌ  Ｒｅｌａｔｉｏｎ  Ｉｎｆｏを適用し、ＭＡＣ−ＣＥを使用する必要はない。
【００３０】
ＴＣＩがＣＳＩ−ＲＳのＱＣＬ指示に用いられる場合、ソース（Ｓｏｕｒｃｅ）ＲＳとターゲット（Ｔａｒｇｅｔ）  ＲＳは、ＳＳＢ→周期的ＣＳＩ−ＲＳ  （Ｐｅｒｉｏｄｉｃ  ＣＳＩ−ＲＳ、Ｐ−ＣＳＩ−ＲＳ）／半永続的（Ｓｅｍｉ−Ｐｅｒｓｉｓｔｅｎｔ  ＣＳＩ−ＲＳ、ＳＰ−ＣＳＩ−ＲＳ）、Ｐ−ＣＳＩ−ＲＳ→Ｐ−ＣＳＩ−ＲＳ、ＳＳＢ／Ｐ−ＣＳＩ−ＲＳ／ＳＰ−ＣＳＩ−ＲＳ→非周期的ＣＳＩ−ＲＳ（Ａｐｅｒｉｏｄｉｃ  ＣＳＩ−ＲＳ、ＡＰ−ＣＳＩ−ＲＳ）であってもよい。２つのＣＳＩ−ＲＳの間にはＱＣＬがないことを黙認する。ここで、ＳＰ−ＣＳＩ−ＲＳは、ＲＲＣによってＳＰ−ＣＳＩ−ＲＳ  ｒｅｓｏｕｒｃｅ（ｓ）が設定され、且つ、ＭＡＣ−ＣＥによって活性化／非活性化され、ＭＡＣ−ＣＥによる活性化時、ＳＰ−ＣＳＩ−ＲＳのＱＣＬも指示する。ＡＰ−ＣＳＩ−ＲＳの場合、ＲＲＣによってＡＰ−ＣＳＩ−ＲＳ  ｒｅｓｏｕｒｃｅのＱＣＬを設定し、且つＤＣＩを用いてＡＰ−ＣＳＩ−ＲＳをトリガする。
【００３１】
ＴＣＩがサウンディング参照信号（Ｓｏｕｎｄｉｎｇ  Ｒｅｆｅｒｅｎｃｅ  Ｓｉｇｎａｌ、ＳＲＳ）のＱＣＬ指示に用いられる場合、１つのＳＲＳ  ｒｅｓｏｕｒｃｅ、又は、少なくともＣＳＩ−ＲＳ及びＳＳＢを含むダウンリンク（Ｄｏｗｎｌｉｎｋ、ＤＬ）ＲＳを使用して指示する。ｔａｒｇｅｔ  ＲＳがＰ−ＳＲＳである場合、ＲＲＣシグナリングを使用して設定し、ｔａｒｇｅｔ  ＲＳがＳＰ−ＳＲＳである場合、ＲＲＣ＋ＭＡＣ−ＣＥを使用して指示し、ｔａｒｇｅｔ  ＲＳがＡＰ−ＳＲＳである場合、ＲＲＣ又はＲＲＣ＋ＭＡＣ−ＣＥを使用して設定し、且つ、ＤＣＩを使用して指示する。
【００３２】
少なくとも２つのチャネルと信号がアップリンク又はダウンリンクで伝送され、高周波システム（６ＧＨｚ以上の周波数帯域の通信システム）では、送信側は関連技術に従っていこれらのチャネルと信号のＱＣＬ情報、例えば、ＴＣＩの状態が指示するチャネル又は信号の時空間周波数パラメータを決定し、受信側では、これらのパラメータに従ってい受信を行う。関連技術では、種々の少なくとも２つのチャネル及び信号が同じシンボル上で多重化され得るかどうかを判断する規則や、同一シンボル上でどのように多重化される方法が、明確になっておらず、基地局と端末とで、伝送すべきチャネルや信号の関連パラメータに対する理解が一致せず、結果として、チャネルと信号が正確に受信できない場合がある。
【００３３】
上述の問題に鑑み、本開示の実施例は、送信側及び受信側の通信機器の伝送すべきチャネルと信号の関連パラメータに対する理解を一致させ、チャネルと信号を正しく受信できる、チャネルと信号の伝送方法及び通信機器を提供する。
【００３４】
本開示の実施例は、送信側通信機器に適用するチャネル及び信号の伝送方法を提供する。図１に示すように、前記方法は、
少なくとも２つのデータ伝送リソースを伝送する時、信号及びチャネルのうちの少なくとも１つである前記データ伝送リソースを、前記データ伝送リソースの準同一位置ＱＣＬ情報、及び所定規則のうちの少なくとも１つに従って送信するステップ１０１を有する。
【００３５】
本実施例において、少なくとも２つのチャネルと信号を伝送しようとする時、チャネルと信号のＱＣＬ情報及び所定規則のうちの少なくとも１つに従って、チャネルと信号を伝送する。本実施例の技術案によると、送信側と受信側の通信機器の伝送すべきチャネルと信号の関連パラメータに対する理解を一致させ得る。例えば、複数のチャネルと信号を同じシンボル上で多重化して同時伝送できるかどうか、及び使用されるＱＣＬ情報を決定して、チャネルと信号の正確な受信を実現させる。
【００３６】
ここで、前記信号は、参照信号（ｒｅｆｅｒｅｎｃｅ  ｓｉｇｎａｌ、ＲＳ）を含む。
【００３７】
さらに、前記ＱＣＬ情報は、タイプＡ、タイプＢ、及びタイプＣのＱＣＬ情報を含み、前記伝送方法は、具体的に、
少なくとも２つの前記データ伝送リソースのそれぞれのＱＣＬ情報を用いて、対応するデータ伝送リソースを送信するステップを含む。
【００３８】
さらに、前記ＱＣＬ情報は、タイプＤのＱＣＬ情報を含み、前記伝送方法は、具体的に、
少なくとも２つの前記データ伝送リソースを同じシンボル上で多重化して伝送できるかどうかを判断するステップと、
少なくとも２つの前記データ伝送リソースを同じシンボル上で多重化して伝送できる場合、前記データ伝送リソースのＱＣＬ情報を決定し、且つ決定されたＱＣＬ情報を用いて同じシンボル上で対応するデータ伝送リソースを送信するステップと、
少なくとも２つの前記データ伝送リソースを同じシンボル上で多重化して伝送できない場合、少なくとも２つの前記データ伝送リソースのそれぞれのＱＣＬ情報を用いて、対応するデータ伝送リソースを送信するか、又は、少なくとも２つの前記データ伝送リソースの優先度を決定し、そのうちのうちの最も優先度の高いデータ伝送リソースのみを送信するステップとを有する。
【００３９】
伝送すべきチャネルと信号が同じシンボル上で多重化し、且つ、同じ空間的ＱＣＬ情報が設定又は指示された場合、同じ空間的ＱＣＬ情報を用いてチャネルと信号を伝送することができる。多重化方式は、周波数分割多重化（Ｆｒｅｑｕｅｎｃｙ−ｄｉｖｉｓｉｏｎ  ｍｕｌｔｉｐｌｅｘｉｎｇ、ＦＤＭ）であってもよい。
【００４０】
伝送すべきチャネルと信号が同じシンボル上で多重化できるが、異なる空間的ＱＣＬ情報が設定又は指示された場合、優先度の低いチャネル又は信号を、優先度の高いチャネル又は信号の空間的ＱＣＬ情報を用いて、同じシンボル上で多重化して同時伝送するか、又は、優先度の高いチャネル又は信号のみを伝送し、優先度の低いチャネル又は信号を伝送しない。
【００４１】
伝送すべきチャネルと信号が同じシンボル上で多重化できない場合、これらのチャネルと信号は、それぞれ設定又は指示された空間的ＱＣＬ情報を用いて伝送される。また、送信側は、優先度の高いチャネル又は信号のみを送信し、優先度の低いチャネル又は信号を送信しなくてもよい。
【００４２】
さらに、前記少なくとも２つの前記データ伝送リソースを同じシンボル上で多重化して伝送できる場合、前記データ伝送リソースのＱＣＬ情報を決定し、且つ決定されたＱＣＬ情報を用いて同じシンボル上で対応するデータ伝送リソースを送信するステップは、
少なくとも２つの前記データ伝送リソースが同じＱＣＬ情報を有する場合、前記同じＱＣＬ情報を用いて前記少なくとも２つの前記データ伝送リソースを送信するステップと；
少なくとも２つの前記データ伝送リソースが異なるＱＣＬ情報を有する場合、そのうちの最も高い優先度のデータ伝送リソースのＱＣＬ情報を用いて、前記少なくとも２つの前記データ伝送リソースを送信するか、又は、そのうちのうちの最も優先度の高いデータ伝送リソースのみを送信するステップとを含む。
【００４３】
さらに、データ伝送リソースの優先度は、以下の少なくとも１つの方式で決定される。
【００４４】
Ａ．少なくとも２つの前記データ伝送リソースのうち、ネットワーク側機器が設定又は指示したＱＣＬ情報が有効であるデータ伝送リソースの優先度は、ネットワーク側機器が設定又は指示したＱＣＬ情報が有効でないデータ伝送リソースの優先度よりも高くとする。ここで、ネットワーク側機器が設定又は指示したＱＣＬ情報が有効でないデータ伝送リソースは、デフォルトＱＣＬ情報を用いるとする。
【００４５】
Ｂ．少なくとも２つの前記データ伝送リソースのうち、非周期的に伝送されるデータ伝送リソースの優先度が周期的に伝送されるデータ伝送リソースの優先度より高くとする。
【００４６】
Ｃ．少なくとも２つの非周期的に伝送されるデータ伝送リソースのうち、ネットワーク側機器が設定又は指示したＱＣＬ情報が最近に有効であるデータ伝送リソースの優先度が最も高くとする。
【００４７】
Ｄ．異なるセルの周期的に伝送されるデータ伝送リソースのうち、プライマリサービングセルＰＣｅｌｌのデータ伝送リソースの優先度は、セカンダリサービングセルＳＣｅｌｌのデータ伝送リソースの優先度より高くとする。
【００４８】
Ｅ．少なくとも２つの前記データ伝送リソースのうち、物理ダウンリンク制御チャネルＰＤＣＣＨの優先度は物理ダウンリンク共用チャネルＰＤＳＣＨの優先度より高く、ＰＤＳＣＨの優先度はチャネル状態情報参照信号ＣＳＩ−ＲＳの優先度より高くとする。
【００４９】
Ｆ．少なくとも２つの前記データ伝送リソースのうち、物理アップリンク共用チャネルＰＵＳＣＨの優先度は物理アップリンク制御チャネルＰＵＣＣＨの優先度より高く、ＰＵＣＣＨの優先度はサウンディング参照信号ＳＲＳの優先度より高くとする。
【００５０】
さらに、前記伝送方法は、所定順序に従って、Ａ〜Ｆのうちの少なくとも２種類の方式を順次使用して、前記データ伝送リソースの優先度を決定するステップをさらに含む。
【００５１】
さらに、所定順序に従って、前記少なくとも２種類の方式のうちの第１種類の方式を用いて前記データ伝送リソースの優先度を決定した後、同じ優先度の少なくとも２つのデータ伝送リソースが存在する場合、前記少なくとも２種類の方式のうちの他の方式を用いて、前記少なくとも２つのデータ伝送リソースの優先度を決定する。
【００５２】
さらに、Ａ〜Ｆのうちの少なくとも２種類の方式を用いて前記データ伝送リソースの優先度を決定した後、同じ優先度の少なくとも２つのデータ伝送リソースが存在する場合、前記少なくとも２つのデータ伝送リソースの優先度を設定する。
【００５３】
少なくとも２種類のチャネルと信号を伝送しようとする場合、上述した複数の優先度判断方式を用いて優先度を決定することができる。複数の優先度判断方式を用いる場合、選択された複数の優先度判断方式を任意の順序で使用して、チャネルと信号の伝送方法を決定することができる、即ち、同じシンボル上で多重化して伝送するかどうか、及び、使用されるＱＣＬ情報を決定する。
【００５４】
例えば、優先度判断方式Ａと優先度判断方式Ｂとを選択した場合、まず、優先度判断方式Ａに従ってで伝送すべき複数のチャネルと信号の優先度を決定し、そして、優先度判断方式Ａで優先度が判定できない複数のチャネルと信号について、優先度判断方式Ｂで判断し決定する。全ての優先度判断方式を用いても、依然として優先度の等しい複数のチャネル又は信号が存する場合、全てのチャネルと信号の優先度が決定されるまで、それらの優先度を任意に決定する。
【００５５】
さらに、前記周期的に伝送されるデータ伝送リソースは、同期信号ブロックＳＳＢ、周期的ＣＳＩ−ＲＳ、半永続的ＣＳＩ−ＲＳ、周期的ＳＲＳ、半永続的ＳＲＳ、ＰＤＣＣＨ、ＰＵＣＣＨ、半静的スケジューリングＰＤＳＣＨ、半静的スケジューリングＰＵＳＣＨのうちの少なくとも１つを含み、
前記非周期的に伝送されるデータ伝送リソースは、非周期的ＣＳＩ−ＲＳ、非周期的ＳＲＳ、動的スケジューリングＰＤＳＣＨ、動的スケジューリングＰＵＳＣＨのうちの少なくとも１つを含む。
さらに、少なくとも２つのチャネルと信号を同じシンボル上で多重化して伝送する場合、前記送信側通信機器は、１つの時刻に１つのビームのみを送信する。
【００５６】
さらに、前記データ伝送リソースがダウンリンクに適用される場合、前記データ伝送リソースは、
ＳＳＢとＰＤＳＣＨ、
ＣＳＩ−ＲＳとＰＤＳＣＨ、
ＰＤＣＣＨとＰＤＳＣＨ、
ＣＳＩ−ＲＳとＰＤＣＣＨ、
ＣＳＩ−ＲＳとＳＳＢ、
ＰＤＣＣＨとＰＤＣＣＨ、
ＣＳＩ−ＲＳとＣＳＩ−ＲＳ、
ＰＤＳＣＨとＰＤＳＣＨ、
無線リソース管理ＲＲＭ用の参照信号ＲＳ及び他のチャネル又は信号、
のうちの少なくとも１つの組み合わせを含む。
【００５７】
さらに、前記データ伝送リソースがアップリンクに適用される場合、前記データ伝送リソースは、
ＰＵＣＣＨとＰＵＣＣＨと、
ＰＵＳＣＨとＰＵＳＣＨと、
ＳＲＳとＳＲＳ、
のうちの少なくとも１つの組み合わせを含む。
【００５８】
ここで、前記データ伝送リソースがダウンリンクに適用される場合、送信側はネットワーク側機器であり、前記データ伝送リソースがアップリンクに適用される場合、送信側はユーザ機器である。
【００５９】
本開示の実施例は、さらに、受信側の通信機器に適用するチャネルと信号の伝送方法を提供する。
【００６０】
図２に示すように、前記方法は、
少なくとも２つのデータ伝送リソースを伝送する時、信号及びチャネルのうちの少なくとも１つである前記データ伝送リソースを、前記データ伝送リソースの準同一位置ＱＣＬ情報、及び所定規則のうちの少なくとも１つに従って受信するステップ２０１を有する。
【００６１】
本実施例において、少なくとも２つのチャネルと信号を伝送しようとする時、チャネルと信号のＱＣＬ情報及び所定規則のうちの少なくとも１つに従って、チャネルと信号を伝送する。本実施例の技術案により、送信側と受信側の通信機器の、伝送すべきチャネルと信号の関連パラメータに対する理解を一致させ得る。例えば、複数のチャネルと信号を同じシンボル上で多重化して同時伝送できるかどうか、及び使用されるＱＣＬ情報を決定して、チャネルと信号の正確な受信を実現させる。
【００６２】
さらに、前記信号はＲＳを含む。
【００６３】
さらに、前記ＱＣＬ情報は、タイプＡ、タイプＢ、及びタイプＣのＱＣＬ情報を含み、前記伝送方法は、具体的に、
少なくとも２つの前記データ伝送リソースのそれぞれのＱＣＬ情報を用いて、対応するデータ伝送リソースを受信するステップを有する。
【００６４】
さらに、前記ＱＣＬ情報は、タイプＤのＱＣＬ情報を含み、前記伝送方法は、具体的に、
少なくとも２つの前記データ伝送リソースを同じシンボル上で多重化して伝送できるかどうかを判断するステップと、
少なくとも２つの前記データ伝送リソースを同じシンボル上で多重化して伝送できる場合、前記データ伝送リソースのＱＣＬ情報を決定し、且つ決定されたＱＣＬ情報を用いて同じシンボル上で対応するデータ伝送リソースを受信するステップと、
少なくとも２つの前記データ伝送リソースを同じシンボル上で多重化して伝送できない場合、少なくとも２つの前記データ伝送リソースのそれぞれのＱＣＬ情報を用いて、対応するデータ伝送リソースを受信するか、又は、少なくとも２つの前記データ伝送リソースの優先度を決定し、そのうちの最も優先度の高いデータ伝送リソースのみを受信するステップとを有する。
【００６５】
伝送すべきチャネルと信号を同じシンボル上で多重化し、且つ、同じ空間的ＱＣＬ情報が設定又は指示された場合、同じ空間的ＱＣＬ情報を用いてチャネルと信号を伝送することができる。多重化方式は、周波数分割多重化であってもよい。
【００６６】
伝送すべきチャネルと信号を同じシンボル上で多重化できるが、異なる空間的ＱＣＬ情報が設定又は指示された場合、優先度の低いチャネル又は信号を、優先度の高いチャネル又は信号の空間的ＱＣＬ情報を用いて、同じシンボル上で多重化して同時伝送するか、又は、優先度の高いチャネル又は信号のみを伝送し、優先度の低いチャネル又は信号を伝送しない。
【００６７】
伝送すべきチャネルと信号が同じシンボル上で多重化できない場合、これらのチャネルと信号とは、それぞれの設定又は指示された空間的ＱＣＬ情報を用いて伝送される。また、受信側は、優先度の高いチャネル又は信号のみを受信し、優先度の低いチャネル又は信号を受信しなくてもよい。
【００６８】
さらに、前記少なくとも２つの前記データ伝送リソースを同じシンボル上で多重化して伝送できる場合、前記データ伝送リソースのＱＣＬ情報を決定し、且つ、決定されたＱＣＬ情報を用いて同じシンボル上で対応するデータ伝送リソースを受信するステップは、
少なくとも２つの前記データ伝送リソースが同じＱＣＬ情報を有する場合、前記同じＱＣＬ情報を用いて前記少なくとも２つの前記データ伝送リソースを受信するステップと、
少なくとも２つの前記データ伝送リソースが異なるＱＣＬ情報を有する場合、そのうちの最も高い優先度のデータ伝送リソースのＱＣＬ情報を用いて、前記少なくとも２つの前記データ伝送リソースを受信するか、又は、そのうちの最も優先度の高いデータ伝送リソースのみを受信するステップとを含む。
【００６９】
さらに、データ伝送リソースの優先度は、以下の少なくとも１つの方式で決定される。
【００７０】
Ａ．少なくとも２つの前記データ伝送リソースのうち、ネットワーク側機器が設定又は指示したＱＣＬ情報が有効であるデータ伝送リソースの優先度は、ネットワーク側機器が設定又は指示したＱＣＬ情報が有効でないデータ伝送リソースの優先度よりも高くとする。ここで、ネットワーク側機器が設定又は指示したＱＣＬ情報が有効でないデータ伝送リソースは、デフォルトＱＣＬ情報を用いるとする。
【００７１】
Ｂ．少なくとも２つの前記データ伝送リソースのうち、非周期的に伝送されるデータ伝送リソースの優先度が周期的に伝送されるデータ伝送リソースの優先度より高くとする。
【００７２】
Ｃ．少なくとも２つの非周期的に伝送されるデータ伝送リソースのうち、ネットワーク側機器が設定又は指示したＱＣＬ情報が最近に有効であるデータ伝送リソースの優先度が最も高くとする。
【００７３】
Ｄ．異なるセルの周期的に伝送されるデータ伝送リソースのうち、プライマリサービングセルＰＣｅｌｌのデータ伝送リソースの優先度は、セカンダリサービングセルＳＣｅｌｌのデータ伝送リソースの優先度より高くとする。
【００７４】
Ｅ．少なくとも２つの前記データ伝送リソースのうち、物理ダウンリンク制御チャネルＰＤＣＣＨの優先度は物理ダウンリンク共用チャネルＰＤＳＣＨの優先度より高く、ＰＤＳＣＨの優先度はチャネル状態情報参照信号ＣＳＩ−ＲＳの優先度より高くとする。
【００７５】
Ｆ．少なくとも２つの前記データ伝送リソースのうち、物理アップリンク共用チャネルＰＵＳＣＨの優先度は物理アップリンク制御チャネルＰＵＣＣＨの優先度より高く、ＰＵＣＣＨの優先度はサウンディング参照信号ＳＲＳの優先度より高くとする。
【００７６】
さらに、前記伝送方法は、所定順序に従って、Ａ〜Ｆのうちの少なくとも２種類の方式を順次用いて、前記データ伝送リソースの優先度を決定するステップをさらに含む。
【００７７】
さらに、所定順序に従って、前記少なくとも２種類の方式のうちの第１種類の方式を用いて、前記データ伝送リソースの優先度を決定した後、同じ優先度の少なくとも２つのデータ伝送リソースが存在する場合、前記少なくとも２種類の方式のうちの他の方式を用いて、前記少なくとも２つのデータ伝送リソースの優先度を決定する。
【００７８】
さらに、Ａ〜Ｆのうちの少なくとも２種類の方式を用いて、前記データ伝送リソースの優先度を決定した後、同じ優先度の少なくとも２つのデータ伝送リソースが存在する場合、前記少なくとも２つのデータ伝送リソースの優先度を設定する。
【００７９】
少なくとも２種類のチャネルと信号を伝送しようとする場合、上述した複数の優先度判断方式を用いて優先度を決定することができる。複数の優先度判断方式を用いる場合、選択された複数の優先度判断方式を任意の順序で使用して、チャネルと信号の伝送方法を決定することができる、即ち、同じシンボル上で多重化して伝送するかどうか、及び、使用されるＱＣＬ情報を決定する。
【００８０】
例えば、優先度判断方式Ａと優先度判断方式Ｂとを選択した場合、まず、優先度判断方式Ａに従ってで伝送すべき複数のチャネルと信号の優先度を決定し、そして、優先度判断方式Ａで優先度が判定できない複数のチャネルと信号について、優先度判断方式Ｂで決定を行う。全ての優先度判断方式を用いても、依然として優先度の等しい複数のチャネル又は信号が存する場合、全てのチャネルと信号の優先度が決定されるまで、それらの優先度を任意に決定する。
【００８１】
さらに、前記周期的に伝送されるデータ伝送リソースは、同期信号ブロックＳＳＢ、周期的ＣＳＩ−ＲＳ、半永続的ＣＳＩ−ＲＳ、周期的ＳＲＳ、半永続的ＳＲＳ、ＰＤＣＣＨ、ＰＵＣＣＨ、半静的スケジューリングＰＤＳＣＨ、半静的スケジューリングＰＵＳＣＨのうちの少なくとも１つを含み、
前記非周期的に伝送されるデータ伝送リソースは、非周期的ＣＳＩ−ＲＳ、非周期的ＳＲＳ、動的スケジューリングＰＤＳＣＨ、動的スケジューリングＰＵＳＣＨのうちの少なくとも１つを含む。
さらに、少なくとも２つのチャネルと信号を同じシンボル上で多重化して伝送する場合、前記送信側通信機器は、１つの時刻に１つのビームのみを送信する。
【００８２】
さらに、前記データ伝送リソースがダウンリンクに適用される場合、前記データ伝送リソースは、
ＳＳＢとＰＤＳＣＨ、
ＣＳＩ−ＲＳとＰＤＳＣＨ、
ＰＤＣＣＨとＰＤＳＣＨ、
ＣＳＩ−ＲＳとＰＤＣＣＨ、
ＣＳＩ−ＲＳとＳＳＢ、
ＰＤＣＣＨとＰＤＣＣＨ、
ＣＳＩ−ＲＳとＣＳＩ−ＲＳ、
ＰＤＳＣＨとＰＤＳＣＨ、
無線リソース管理ＲＲＭ用の参照信号ＲＳ及び他のチャネル又は信号、
のうちの少なくとも１つの組み合わせを含む。
【００８３】
さらに、前記データ伝送リソースがアップリンクに適用される場合、前記データ伝送リソースは、
ＰＵＣＣＨとＰＵＣＣＨと、
ＰＵＳＣＨとＰＵＳＣＨと、
ＳＲＳとＳＲＳと、
のうちの少なくとも１つの組み合わせを含む。
【００８４】
ここで、前記データ伝送リソースがダウンリンクに適用される場合、送信側はネットワーク側機器であり、前記データ伝送リソースがアップリンクに適用される場合、送信側はユーザ機器である。
【００８５】
以下、本開示のチャネルと信号の伝送方法について、具体的な実施形態を参照して詳細に説明する。
【００８６】
本実施形態では、ダウンリンクにおいて、同じコンポーネントキャリア（Ｃｏｍｐｏｎｅｎｔ  Ｃａｒｒｉｅｒ、ＣＣ）又は同じ帯域幅部分（Ｂａｎｄｗｉｔｈ  Ｐａｒｔ、ＢＷＰ）上の異なるチャネルと信号を同じシンボル上で多重化できるかどうか、及び、使用されるＱＣＬ情報を規定する。
【００８７】
【表１−１】
2021520128.tif 000003
【００８８】
【表１−２】
2021520128.tif 000004
【００８９】
【表２−１】
2021520128.tif 000005
【００９０】
【表２−２】
2021520128.tif 000006
【００９１】
【表２−３】
2021520128.tif 000007
【００９２】
【表２−４】
2021520128.tif 000008
【００９３】
【表２−５】
2021520128.tif 000009
【００９４】
【表２−６】
2021520128.tif 000010
【００９５】
【表３】
2021520128.tif 000011
【００９６】
【表４−１】
2021520128.tif 000012
【００９７】
【表４−２】
2021520128.tif 000013
【００９８】
【表４−３】
2021520128.tif 000014
【００９９】
【表５】
2021520128.tif 000015
【０１００】
【表６】
2021520128.tif 000016
【０１０１】
【表７−１】
2021520128.tif 000017
【０１０２】
【表７−２】
2021520128.tif 000018
【０１０３】
【表７−３】
2021520128.tif 000019
【０１０４】
【表８】
2021520128.tif 000020
【０１０５】
【表９】
2021520128.tif 000021
【０１０６】
【表１０】
2021520128.tif 000022
【０１０７】
【表１１】
2021520128.tif 000023
【０１０８】
ここで、上記のＰＤＳＣＨは、スケジューリングされるシングルスロットＰＤＳＣＨ、スケジューリングされるマルチスロットＰＤＳＣＨ  （例えば、ＰＤＳＣＨ  ｓｌｏｔ  ａｇｇｒｅｇａｔｉｏｎ）、スケジューリングされるｍｉｎｉ−ｓｌｏｔ  ＰＤＳＣＨ等を含む。
【０１０９】
ダウンリンク、及び異なるＣＣ上のチャネルと信号について、上記のステップにおける基準を使用してもよい。例えば、
●ネットワーク側機器が設定又は指示する空間的ＱＣＬ情報が同じであれば、同じシンボル上で多重化することができる。
●ネットワーク側機器が設定又は指示する空間的ＱＣＬ情報が異なる場合：
■周期的チャネル又は信号＋周期的チャネル又は信号について、ＰＣｅｌｌ上の周期的チャネル又は信号は、高い優先度を有する。
■周期的チャネル又は信号＋非周期的チャネル又は信号について、非周期的チャネル又は信号は、高い優先度を有する。
■非周期的チャネル又は信号＋非周期的チャネル又は信号について、ネットワーク側機器が設定又は指示したＱＣＬ情報が最近有効であるチャネル又は信号は、最も高い優先度を有する。
アップリンク、及び同じＣＣ又は同じＢＷＰ上のチャネルと信号について、上記のステップにおける基準を使用してもよい。例えば、
【０１１０】
【表１２】
2021520128.tif 000024
【０１１１】
アップリンク、且つ及びＣＣ上のチャネルと信号について、上記のステップにおける基準を使用してもよい。例えば、
【０１１２】
【表１３】
2021520128.tif 000025
【０１１３】
本実施例で示した種々のチャネルと信号の組み合わせに、本実施例に係る方法及び基準を適用することにより、送信側と受信側とで、複数のチャネルと信号を同じシンボル上で多重化して同時伝送できるかどうか、及び使用されるＱＣＬ情報を決定することができることにより、チャネルと信号の正確なの正確な受信を実現させる。本実施例は、複数のチャネルと信号を同じシンボル上で多重化して同時伝送できるかどうかを判断する方法、及び同じシンボル上で多重化した時のＱＣＬ判断方法、並びに多重化不可時の優先度による廃棄方法を提供する。
【０１１４】
本実施例の技術案では、ダウンリンク又はアップリンクについて、異なるタイプのチャネルと信号が伝送される場合、規定された又はネットワーク側機器によって設定された基準に従ってい、異なるタイプのチャネルと信号が同じシンボル上で多重化して同時伝送できるかどうかを判断する方法、同じシンボル上で多重化した時のＱＣＬ判断方法、又は多重化不可時の優先度による廃棄方法により、伝送すべきチャネルと信号の関連パラメータに対する送信側と受信側との理解を一致させ得る、例えば、複数のチャネルと信号を同じシンボル上で多重化して同時伝送できるかどうか、及び使用されるＱＣＬ情報を決定して、チャネルと信号の正確な受信を実現させる。
【０１１５】
本開示の実施例は、さらに、送信側に適用する通信機器を提供する。該通信機器は、図３に示すように、
少なくとも２つのデータ伝送リソースを伝送する時、信号及びチャネルのうちの少なくとも１つである前記データ伝送リソースを、前記データ伝送リソースの準同一位置ＱＣＬ情報、及び所定規則のうちの少なくとも１つに従って送信する送信モジュール３１を備える。
【０１１６】
本実施例において、少なくとも２つのチャネルと信号を伝送しようとする時、チャネルと信号のＱＣＬ情報及び所定規則のうちの少なくとも１つに従って、チャネルと信号を伝送する。本実施例の技術案によると、伝送すべきチャネルと信号の関連パラメータに対する送信側と受信側の通信機器の理解を一致させ、例えば、複数のチャネルと信号を同じシンボル上で多重化して同時伝送できるかどうか、及び使用されるＱＣＬ情報を決定することにより、チャネルと信号の正確な受信を実現させる。
【０１１７】
ここで、前記信号は、参照信号（ｒｅｆｅｒｅｎｃｅ  ｓｉｇｎａｌ、ＲＳ）を含む。
【０１１８】
さらに、前記ＱＣＬ情報は、タイプＡ、タイプＢ、及びタイプＣのＱＣＬ情報を含み、前記送信モジュール３１は、具体的に、少なくとも２つの前記データ伝送リソースのそれぞれのＱＣＬ情報を用いて、対応するデータ伝送リソースを送信するために使用される。
【０１１９】
さらに、前記ＱＣＬ情報は、タイプＤのＱＣＬ情報を含み、前記送信モジュール３１は、具体的に、以下のことに使用される：
少なくとも２つの前記データ伝送リソースを同じシンボル上で多重化して伝送できるかどうかを判断し、
少なくとも２つの前記データ伝送リソースを同じシンボル上で多重化して伝送できる場合、前記データ伝送リソースのＱＣＬ情報を決定し、決定されたＱＣＬ情報を用いて同じシンボル上で対応するデータ伝送リソースを送信し、
少なくとも２つの前記データ伝送リソースを同じシンボル上で多重化して伝送できない場合、少なくとも２つの前記データ伝送リソースのそれぞれのＱＣＬ情報を用いて、対応するデータ伝送リソースを送信するか、又は、少なくとも２つの前記データ伝送リソースの優先度を決定し、そのうちの最も優先度の高いデータ伝送リソースのみを送信する。
【０１２０】
伝送すべきチャネルと信号を同じシンボル上で多重化し、且つ、同じ空間的ＱＣＬ情報が設定又は指示された場合、同じ空間的ＱＣＬ情報を用いてチャネルと信号を伝送することができる。多重化方式は、周波数分割多重化（Ｆｒｅｑｕｅｎｃｙ−ｄｉｖｉｓｉｏｎ  ｍｕｌｔｉｐｌｅｘｉｎｇ、ＦＤＭ）であってもよい。
【０１２１】
伝送すべきチャネルと信号が同じシンボル上で多重化できるが、異なる空間的ＱＣＬ情報が設定又は指示されだ場合、優先度の低いチャネル又は信号を、優先度の高いチャネル又は信号の空間的ＱＣＬ情報を用いて、同じシンボル上で多重化して同時伝送するか、又は、優先度の高いチャネル又は信号のみを伝送し、優先度の低いチャネル又は信号を伝送しない。
【０１２２】
伝送すべきチャネルと信号が同じシンボル上で多重化できない場合、これらのチャネルと信号は、それぞれの設定又は指示された空間的ＱＣＬ情報を用いて伝送される。また、送信側は、優先度の高いチャネル又は信号のみを送信し、優先度の低いチャネル又は信号を送信しなくてもよい。
【０１２３】
さらに、前記送信モジュール３１は、具体的に、以下のことに使用される：
【０１２４】
少なくとも２つの前記データ伝送リソースが同じＱＣＬ情報を有する場合、前記同じＱＣＬ情報を用いて前記少なくとも２つの前記データ伝送リソースを送信し、
少なくとも２つの前記データ伝送リソースが異なるＱＣＬ情報を有する場合、そのうちの最も高い優先度のデータ伝送リソースのＱＣＬ情報を用いて、前記少なくとも２つの前記データ伝送リソースを送信するか、又は、そのうちの最も優先度の高いデータ伝送リソースのみを送信する。
【０１２５】
さらに、前記送信モジュール３１は、具体的に、以下の少なくとも１つの方式でデータ伝送リソースの優先度を決定する。
【０１２６】
Ａ．少なくとも２つの前記データ伝送リソースのうち、ネットワーク側機器が設定又は指示したＱＣＬ情報が有効であるデータ伝送リソースの優先度は、ネットワーク側機器が設定又は指示したＱＣＬ情報が有効でないデータ伝送リソースの優先度よりも高くとする。ここで、ネットワーク側機器が設定又は指示したＱＣＬ情報が有効でないデータ伝送リソースは、デフォルトＱＣＬ情報を用いるとする。
【０１２７】
Ｂ．少なくとも２つの前記データ伝送リソースのうち、非周期的に伝送されるデータ伝送リソースの優先度が周期的に伝送されるデータ伝送リソースの優先度より高くとする。
【０１２８】
Ｃ．少なくとも２つの非周期的に伝送されるデータ伝送リソースのうち、ネットワーク側機器が設定又は指示したＱＣＬ情報が最近に有効であるデータ伝送リソースの優先度が最も高くとする。
【０１２９】
Ｄ．異なるセルの周期的に伝送されるデータ伝送リソースのうち、プライマリサービングセルＰＣｅｌｌのデータ伝送リソースの優先度は、セカンダリサービングセルＳＣｅｌｌのデータ伝送リソースの優先度より高くとする。
【０１３０】
Ｅ．少なくとも２つの前記データ伝送リソースのうち、物理ダウンリンク制御チャネルＰＤＣＣＨの優先度は物理ダウンリンク共用チャネルＰＤＳＣＨの優先度より高く、ＰＤＳＣＨの優先度はチャネル状態情報参照信号ＣＳＩ−ＲＳの優先度より高くとする。
【０１３１】
Ｆ．少なくとも２つの前記データ伝送リソースのうち、物理アップリンク共用チャネルＰＵＳＣＨの優先度は物理アップリンク制御チャネルＰＵＣＣＨの優先度より高く、ＰＵＣＣＨの優先度はサウンディング参照信号ＳＲＳの優先度より高くとする。
【０１３２】
さらに、前記送信モジュール３１は、所定順序に従って、Ａ〜Ｆのうちの少なくとも２種類の方式を順次使用して、前記データ伝送リソースの優先度を決定する。
【０１３３】
さらに、前記送信モジュール３１は、具体的に、所定順序に従って、前記少なくとも２種類の方式のうちの第１種類の方式を用いて前記データ伝送リソースの優先度を決定した後、同じ優先度の少なくとも２つのデータ伝送リソースが存在する場合、前記少なくとも２種類の方式のうちの他の方式を用いて、前記少なくとも２つのデータ伝送リソースの優先度を決定する。
【０１３４】
さらに、前記送信モジュール３１は、具体的に、Ａ〜Ｆのうちの少なくとも２種類の方式を用いて前記データ伝送リソースの優先度を決定した後、同じ優先度の少なくとも２つのデータ伝送リソースが存在する場合、前記少なくとも２つのデータ伝送リソースの優先度を設定する。
【０１３５】
少なくとも２種類のチャネルと信号を伝送しようとする場合、上述した複数の優先度判断方式を用いて優先度を決定することができる。複数の優先度判断方式を用いる場合、選択された複数の優先度判断方式の使用順序を任意として、チャネルと信号の伝送方法、即ち、同じシンボル上で伝送できるかどうか、及び使用されるＱＣＬ情報を決定することができる。
【０１３６】
例えば、優先度判断方式Ａと優先度判断方式Ｂとを選択する場合、まず、優先度判断方式Ａに従って、伝送すべき複数のチャネルと信号の優先度を決定し、そして、優先度判断方式Ａで優先度が判断できない複数のチャネルと信号について、優先度判断方式Ｂで判断し決定する。列挙した全ての優先度判断方式を用いても、依然として優先度が等しい複数のチャネル又は信号が存する場合、全てのチャネルと信号の優先度が決定されるまで、それらの優先度を任意に決定する。
【０１３７】
さらに、前記周期的に伝送されるデータ伝送リソースは、同期信号ブロックＳＳＢ、周期的ＣＳＩ−ＲＳ、半永続的ＣＳＩ−ＲＳ、周期的ＳＲＳ、半永続的ＳＲＳ、ＰＤＣＣＨ、ＰＵＣＣＨ、半静的スケジューリングＰＤＳＣＨ、半静的スケジューリングＰＵＳＣＨのうちの少なくとも１つを含む。
【０１３８】
前記非周期的に伝送されるデータ伝送リソースは、非周期的ＣＳＩ−ＲＳ、非周期的ＳＲＳ、動的スケジューリングＰＤＳＣＨ、動的スケジューリングＰＵＳＣＨのうちの少なくとも１つを含む。
【０１３９】
さらに、少なくとも２つのチャネルと信号が同じシンボル上で多重化されて伝送される場合、前記送信モジュール３１は、具体的に、１つの時刻に１つのビームのみを送信する。
【０１４０】
さらに、前記データ伝送リソースがダウンリンクに適用される場合、前記データ伝送リソースは、
ＳＳＢとＰＤＳＣＨ、
ＣＳＩ−ＲＳとＰＤＳＣＨ、
ＰＤＣＣＨとＰＤＳＣＨ、
ＣＳＩ−ＲＳとＰＤＣＣＨ、
ＣＳＩ−ＲＳとＳＳＢ、
ＰＤＣＣＨとＰＤＣＣＨ、
ＣＳＩ−ＲＳとＣＳＩ−ＲＳ、
ＰＤＳＣＨとＰＤＳＣＨ、
無線リソース管理ＲＲＭ用の参照信号ＲＳ及び他のチャネル又は信号、
のうちの少なくとも１つの組み合わせを含む。
【０１４１】
前記データ伝送リソースがアップリンクに適用される場合、前記データ伝送リソースは、
ＰＵＣＣＨとＰＵＣＣＨ、
ＰＵＳＣＨとＰＵＳＣＨ、
ＳＲＳとＳＲＳ、
のうちの少なくとも１つの組み合わせを含む。
【０１４２】
ここで、前記データ伝送リソースがダウンリンクに適用される場合、送信側通信機器はネットワーク側機器であり、前記データ伝送リソースがアップリンクに適用される場合、送信側の通信機器はユーザ機器である。
【０１４３】
本開示の実施例は、受信側に適用する通信機器をさらに提供する。該通信機器、図４に示すように、
少なくとも２つのデータ伝送リソースを伝送する時、信号及びチャネルのうちの少なくとも１つである前記データ伝送リソースを、前記データ伝送リソースの準同一位置ＱＣＬ情報、及び所定規則のうちの少なくとも１つに従って受信する受信モジュール４１を備える。
【０１４４】
本実施例において、少なくとも２つのチャネルと信号を伝送しようとする時、チャネルと信号のＱＣＬ情報及び所定規則のうちの少なくとも１つに従って、チャネルと信号を伝送する。本実施例の技術案により、伝送すべきチャネルと信号の関連パラメータに対する送信側と受信側の通信機器の理解を一致させ得る。例えば、複数のチャネルと信号を同じシンボル上で多重化して同時伝送できるかどうか、及び使用されるＱＣＬ情報を決定することにより、チャネルと信号の正確な受信を実現させる。
【０１４５】
さらに、前記信号はＲＳを含む。
【０１４６】
さらに、前記ＱＣＬ情報は、タイプＡ、タイプＢ、及びタイプＣのＱＣＬ情報を含み、前記受信モジュール４１は、具体的に、
少なくとも２つの前記データ伝送リソースのそれぞれのＱＣＬ情報を用いて、対応するデータ伝送リソースを受信するために使用される。
【０１４７】
さらに、前記ＱＣＬ情報は、タイプＤのＱＣＬ情報を含み、前記受信モジュール４１は、具体的に、以下のことに使用される：
【０１４８】
少なくとも２つの前記データ伝送リソースが同じシンボル上で多重化されて伝送できるかどうかを判断し、
少なくとも２つの前記データ伝送リソースを同じシンボル上で多重化して伝送できる場合、前記データ伝送リソースのＱＣＬ情報を決定し、決定されたＱＣＬ情報を用いて同じシンボル上で対応するデータ伝送リソースを受信し、
少なくとも２つの前記データ伝送リソースを同じシンボル上で多重化して伝送できない場合、少なくとも２つの前記データ伝送リソースのそれぞれのＱＣＬ情報を用いて、対応するデータ伝送リソースを受信するか、又は、少なくとも２つの前記データ伝送リソースの優先度を決定し、そのうちの最も優先度の高いデータ伝送リソースのみを受信する。
【０１４９】
伝送すべきチャネルと信号を同じシンボル上で多重化し、且つ、同じ空間的ＱＣＬ情報が設定又は指示された場合、同じ空間的ＱＣＬ情報を用いてチャネルと信号を伝送することができる。多重化方式は、周波数分割多重であってもよい。
【０１５０】
伝送すべきチャネルと信号が同じシンボル上で多重化できるが、異なる空間的ＱＣＬ情報が設定又は指示された場合、優先度の低いチャネル又は信号を、優先度の高いチャネル又は信号の空間的ＱＣＬ情報を用い用いて、同じシンボル上で多重化して同時伝送するか、又は、優先度の高いチャネル又は信号のみを伝送し、優先度の低いチャネル又は信号を伝送しない。
【０１５１】
伝送すべきチャネルと信号が同じシンボル上で多重化できない場合、これらのチャネルと信号は、それぞれの設定又は指示された空間的ＱＣＬ情報を用いて伝送される。また、受信側は、優先度の高いチャネル又は信号のみを受信し、優先度の低いチャネル又は信号を受信しなくてもよい。
【０１５２】
さらに、前記受信モジュール４１は、具体的に、以下のことに使用される：
少なくとも２つの前記データ伝送リソースが同じＱＣＬ情報を有する場合、前記同じＱＣＬ情報を用いて前記少なくとも２つの前記データ伝送リソースを受信し、
少なくとも２つの前記データ伝送リソースが異なるＱＣＬ情報を有する場合、そのうちの最も高い優先度のデータ伝送リソースのＱＣＬ情報を用いて、前記少なくとも２つの前記データ伝送リソースを受信するか、又は、そのうちの最も優先度の高いデータ伝送リソースのみを受信する。
【０１５３】
さらに、前記受信モジュール４１は、具体的に、以下の少なくとも１つの方式でデータ伝送リソースの優先度を決定する：
【０１５４】
Ａ．少なくとも２つの前記データ伝送リソースのうち、ネットワーク側機器が設定又は指示したＱＣＬ情報が有効であるデータ伝送リソースの優先度は、ネットワーク側機器が設定又は指示したＱＣＬ情報が有効でないデータ伝送リソースの優先度よりも高くとする。ここで、ネットワーク側機器が設定又は指示したＱＣＬ情報が有効でないデータ伝送リソースは、デフォルトＱＣＬ情報を用いるとする。
【０１５５】
Ｂ．少なくとも２つの前記データ伝送リソースのうち、非周期的に伝送されるデータ伝送リソースの優先度が周期的に伝送されるデータ伝送リソースの優先度より高くとする。
【０１５６】
Ｃ．少なくとも２つの非周期的に伝送されるデータ伝送リソースのうち、ネットワーク側機器が設定又は指示したＱＣＬ情報が最近に有効であるデータ伝送リソースの優先度が最も高くとする。
【０１５７】
Ｄ．異なるセルの周期的に伝送されるデータ伝送リソースのうち、プライマリサービングセルＰＣｅｌｌのデータ伝送リソースの優先度は、セカンダリサービングセルＳＣｅｌｌのデータ伝送リソースの優先度より高くとする。
【０１５８】
Ｅ．少なくとも２つの前記データ伝送リソースのうち、物理ダウンリンク制御チャネルＰＤＣＣＨの優先度は物理ダウンリンク共用チャネルＰＤＳＣＨの優先度より高く、ＰＤＳＣＨの優先度はチャネル状態情報参照信号ＣＳＩ−ＲＳの優先度より高くとする。
【０１５９】
Ｆ．少なくとも２つの前記データ伝送リソースのうち、物理アップリンク共用チャネルＰＵＳＣＨの優先度は物理アップリンク制御チャネルＰＵＣＣＨの優先度より高く、ＰＵＣＣＨの優先度はサウンディング参照信号ＳＲＳの優先度より高くとする。
【０１６０】
さらに、前記受信モジュール４１は、所定順序に従って、Ａ〜Ｆのうちの少なくとも２種類の方式を順次使用して、前記データ伝送リソースの優先度を決定する。
【０１６１】
さらに、前記受信モジュール４１は、具体的に、所定順序に従って、前記少なくとも２種類の方式のうちの第１種類の方式を用いて前記データ伝送リソースの優先度を決定した後、同じ優先度の少なくとも２つのデータ伝送リソースが存在する場合、前記少なくとも２種類の方式のうちの他の方式を用いて、少なくとも２つのデータ伝送リソースの優先度を決定する。
【０１６２】
さらに、前記受信モジュール４１は、具体的に、Ａ〜Ｆのうちの少なくとも２種類の方式を用いて前記データ伝送リソースの優先度を決定した後、同じ優先度の少なくとも２つのデータ伝送リソースが存在する場合、前記少なくとも２つのデータ伝送リソースの優先度を設定することに使用される。
【０１６３】
少なくとも２種類のチャネルと信号を伝送しようとする場合、上述した複数の優先度判断方式を用いて優先度を決定することができる。複数の優先度判断方式を使用する場合、選択された複数の優先度判断方式の使用順序を任意とし、チャネルと信号の伝送方法を決定することができる、即ち、同じシンボル上に多重化して伝送できるかどうか、及び、使用されるＱＣＬ情報を決定する。
【０１６４】
例えば、優先度判断方式Ａと優先度判断方式Ｂとを選択する場合、優先度判断方式Ａに従ってで伝送すべき複数のチャネルと信号の優先度を決定し、そして、優先度判断方式Ａで優先度が判断できない複数のチャネルと信号について、優先度判断方式Ｂで判断し決定する。列挙された全ての優先度判断方式を用いても、依然として優先度が等しい複数のチャネル又は信号が存在する場合、全てのチャネルと信号の優先度を決定されるまで、それらの優先度を任意に決定する。
【０１６５】
さらに、前記周期的に伝送されるデータ伝送リソースは、同期信号ブロックＳＳＢ、周期的ＣＳＩ−ＲＳ、半永続的ＣＳＩ−ＲＳ、周期的ＳＲＳ、半永続的ＳＲＳ、ＰＤＣＣＨ、ＰＵＣＣＨ、半静的スケジューリングＰＤＳＣＨ、半静的スケジューリングＰＵＳＣＨのうちの少なくとも１つを含む。
【０１６６】
前記非周期的に伝送されるデータ伝送リソースは、非周期的ＣＳＩ−ＲＳ、非周期的ＳＲＳ、動的スケジューリングＰＤＳＣＨ、動的スケジューリングＰＵＳＣＨのうちの少なくとも１つを含む。
【０１６７】
さらに、少なくとも２つのチャネルと信号が同じシンボル上で多重化されて伝送する場合、前記受信モジュール４１は、具体的に、１つの時刻に１つのビームのみを受信することに使用される。
【０１６８】
さらに、前記データ伝送リソースがダウンリンクに適用される場合、前記データ伝送リソースは、
ＳＳＢとＰＤＳＣＨ、
ＣＳＩ−ＲＳとＰＤＳＣＨ、
ＰＤＣＣＨとＰＤＳＣＨ、
ＣＳＩ−ＲＳとＰＤＣＣＨ、
ＣＳＩ−ＲＳとＳＳＢ、
ＰＤＣＣＨとＰＤＣＣＨ、
ＣＳＩ−ＲＳとＣＳＩ−ＲＳ、
ＰＤＳＣＨとＰＤＳＣＨ、
無線リソース管理ＲＲＭ用の参照信号ＲＳ及び他のチャネル又は信号、
のうちの少なくとも１つの組み合わせを含む。
【０１６９】
さらに、前記データ伝送リソースがアップリンクに適用される場合、前記データ伝送リソースは、ＰＵＣＣＨとＰＵＣＣＨ、
ＰＵＳＣＨとＰＵＳＣＨ、
ＳＲＳとＳＲＳ、
のうちの少なくとも１つの組み合わせを含む。
【０１７０】
ここで、前記データ伝送リソースがダウンリンクに適用される場合、受信側通信機器はユーザ機器であり、前記データ伝送リソースがアップリンクに適用される場合、受信側の通信機器はネットワーク側機器である。
【０１７１】
本開示の実施例は、メモリと、プロセッサと、メモリに記憶され、プロセッサで実行可能なコンピュータプログラムとを備える通信機器を提供する。前記コンピュータプログラムは、前記プロセッサによって実行されると、上記のチャネルと信号の伝送方法のステップを実施させる。
【０１７２】
ここで、前記通信機器は、ネットワーク側機器又はユーザ機器であってもよく、アップリンクでは、送信側通信機器は、ユーザ機器であり、受信側の通信機器は、ネットワーク側機器であり、ダウンリンクでは、送信側通信機器はネットワーク側機器であり、受信側通信機器はユーザ機器である。
【０１７３】
図５を参照すると、図５は、本開示の実施例が適用するネットワーク機器の構成を示す図であり、上記の実施例のチャネルと信号の伝送方法の細部を実現し、同じ効果を達成することができる。図５に示すように、ネットワーク側機器５００は、プロセッサ５０１、送受信機５０２、メモリ５０３、ユーザインターフェース５０４、及びバスインターフェースを備える。
【０１７４】
本開示の実施例において、ネットワーク側機器５００は、メモリ５０３に記憶され、プロセッサ５０１で実行可能なコンピュータプログラムを更に備える。コンピュータプログラムは、プロセッサ５０１によって実行されと、以下のステップ、即ち、少なくとも２つのデータ伝送リソースを伝送する時、信号及びチャネルのうちの少なくとも１つである前記データ伝送リソースを、前記データ伝送リソースの準同一位置ＱＣＬ情報、及び所定規則のうちの少なくとも１つに従って送信するか；又は、少なくとも２つのデータ伝送リソースを伝送する時、信号及びチャネルのうちの少なくとも１つである前記データ伝送リソースを、前記データ伝送リソースの準同一位置ＱＣＬ情報、及び所定規則のうちの少なくとも１つに従って受信するを実現する。
【０１７５】
図５において、バスアーキテクチャは、任意の数の相互接続されたバス及びブリッジを有することができ、具体的に、プロセッサ５０１に代表される１つ又は複数のプロセッサと、メモリ５０３に代表されるメモリの様々な回路とが互いにリンクされる。バスアーキテクチャは、さらに、周辺機器、電圧レギュレータ、及び電力管理回路等の様々な他の回路を互いにリンクすることができる。これらは当業者に周知されるので、本明細書ではこれ以上説明しない。バスインターフェースは、インターフェースを提供する。送受信機５０２は、複数の要素であり得、即ち、送信機及び受信機を備え、伝送媒体を介して様々な他の装置と通信するためのユニットを提供する。異なるユーザ機器に対して、ユーザインターフェース５０４は、必要な機器と外部及び内部で接続することができるインターフェースであってもよく、接続される機器には、キーパッド、ディスプレイ、スピーカー、マイク、ジョイスティック等が挙げれれるが、これらに限定されない。
【０１７６】
プロセッサ５０１は、バスアーキテクチャの管理と通常の処理を担当し、メモリ５０３は、プロセッサ５０１が動作時に使用するデータを記憶することができる。
【０１７７】
そのうち、ネットワーク側機器は、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ）又は符号分割多重接続（Ｃｏｄｅ  Ｄｉｖｉｓｉｏｎ  Ｍｕｌｔｉｐｌｅ  Ａｃｃｅｓｓ、略称ＣＤＭＡ）における基地局（Ｂａｓｅ  Ｔｒａｎｓｃｅｉｖｅｒ  Ｓｔａｔｉｏｎ、略称ＢＴＳ）でもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標）と略称する）における基地局（ＮｏｄｅＢ、略称ＮＢ）でもよく、ＬＴＥにおける進化型基地局（Ｅｖｏｌｕｔｉｏｎａｌ  ＮｏｄｅＢ、略称ｅＮＢ又はｅＮｏｄｅＢ）でもよく、又は中継局又はアクセスポイントでもよく、又は将来の５Ｇネットワークにおける基地局等でもよく、ここでは限定しない。
【０１７８】
図６を参照されたい。図６は、本開示の実施例が適用するユーザ機器の構造を示す図であり、上記の実施例のチャネルと信号の伝送方法の詳細を実現し、同じ効果を達成することができる。図６に示すように、ユーザ機器６００は、無線部６０１、ネットワークモジュール６０２、音声出力部６０３、入力部６０４、センサ６０５、表示部６０６、ユーザ入力部６０７、インターフェース部６０８、メモリ６０９、プロセッサ６１０、及び電源６１１を備えるが、これらに限定されない。当業者は、ユーザ機器は、図６に示すユーザ機器の構成に限定されることがなく、ユーザ機器が、図示されるよりも多い又は少ない構成要素、又はいくつかの構成要素の組み合わせ、又は異なる構成要素を含み得ることを理解されるだろう。本開示の実施例において、ユーザ機器は、携帯電話、タブレットコンピュータ、ノートブックコンピュータ、パームトップコンピュータ、車載端末、ウェアラブル機器、及び歩数計等を含むが、これらに限定されない。
【０１７９】
ここで、プロセッサ６０１は、少なくとも２つのデータ伝送リソースを伝送する時、信号及びチャネルのうちの少なくとも１つである前記データ伝送リソースを、前記データ伝送リソースの準同一位置ＱＣＬ情報、及び所定規則のうちの少なくとも１つに従って送信するか、又は、少なくとも２つのデータ伝送リソースを伝送する時、信号及びチャネルのうちの少なくとも１つである前記データ伝送リソースを、前記データ伝送リソースの準同一位置ＱＣＬ情報、及び所定規則のうちの少なくとも１つに従って受信するステップを実現する。
【０１８０】
本開示の実施例において、無線部６０１は、情報の送受信又は通話中の信号の送受信に使用され、具体的に、基地局からのダウンリンクデータを受信した後、プロセッサ６１０で処理し、また、アップリンクデータを基地局に送信する。一般に、無線部６０１は、アンテナ、少なくとも１つの増幅器、送受信機、カプラ、低雑音増幅器、デュプレクサ等を含むが、これらに限定されない。さらに、無線部６０１は、無線通信システムを介してネットワーク及び他の機器と通信することも可能である。
【０１８１】
ユーザ機器は、ネットワークモジュール６０２を介して、ユーザの電子メールの送受信、ウェブページの閲覧、ストリーミングメディアへのアクセスを支援する等のような、ユーザに対する無線ブロードバンドインターネットアクセスを提供する。
【０１８２】
音声出力部６０３は、無線部６０１又はネットワークモジュール６０２が受信した音声データ又はメモリ６０９に記憶された音声データを音声信号に変換して音声として出力することができる。また、音声出力部６０３は、ユーザ機器６００が実行する特定の機能に関連付けられる音声出力（例えば、呼出信号の着信音、メッセージの着信音等）を提供することもできる。音声出力部６０３は、スピーカ、ブザー、受話器等を備える。
【０１８３】
入力部６０４は、音声又は映像信号を受信するために使用される。入力部６０４は、ビデオキャプチャモード又は画像キャプチャモードで画像キャプチャ装置（カメラ等）によって取得された静止画像又はビデオの画像データを処理するグラフィックプロセッサ（Ｇｒａｐｈｉｃｓ  Ｐｒｏｃｅｓｓｉｎｇ  Ｕｎｉｔ、ＧＰＵ）６０４１及びマイク６０４２を備える。処理後の画像フレームは、表示部６０６に表示されてもよい。グラフィックプロセッサ６０４１による処理後の画像フレームは、メモリ６０９（又は他の記憶媒体）に記憶されるか、又は無線部６０１若しくはネットワークモジュール６０２を介して送信され得る。マイク６０４２は、音を受け取ることができ、このような音を音声データに処理することができる。処理後の音声データは、電話通話モードで、無線部６０１を介して移動通信基地局に送信可能なフォーマットに変換されて出力され得る。
【０１８４】
ユーザ機器６００は、光センサ、動きセンサ及び他のセンサのようなセンサ６０５をさらに少なくとも１つ含む。具体的に、光センサは、周辺光の明暗によって表示パネル６０６１の輝度を調節可能な周辺光センサと、ユーザ機器６００が耳元に移動すると表示パネル６０６１及び／又はバックライトをオフする近接センサとを備える。動きセンサの１つとして、加速度計センサは、各方向（一般的には３軸）の加速度の大きさを検出可能であり、静止時に重力の大きさ及び方向を検出可能であり、ユーザ機器の姿勢識別（例えば、縦横画面の切り替え、関連ゲーム、磁力計の姿勢較正）や、振動認識関連機能（例えば、歩数計、タップ）などを行うことができる。センサ６０５は、指紋センサや、圧力センサ、虹彩センサ、分子センサ、ジャイロスコープ、気圧計、湿度計、温度計、赤外線センサなどをさらに含んでもよく、ここで詳しく説明しない。
【０１８５】
表示部６０６は、ユーザが入力した情報やユーザに提供する情報を表示する。表示部６０６は、表示パネル６０６１を含み得る。表示パネル６０６１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で構成されてもよい。
【０１８６】
ユーザ入力部６０７は、入力された数字や文字を受信し、ユーザ機器のユーザ設定及び機能制御に関するキー信号入力を生じる。具体的には、ユーザ入力部６０７は、タッチパネル６０７１、及びその他の入力装置６０７２を含む。タッチパネル６０７１は、タッチスクリーンとも呼ばれ、ユーザによるタッチパネル６０７１上及び近傍のタッチ操作（例えば、ユーザが指、スタイラスなどの任意の適切な物体又は付属物を用いてタッチパネル６０７１上又はタッチパネル６０７１の近傍で行う操作）を収集することができる。タッチパネル６０７１は、タッチ検出装置とタッチコントローラと、２つの部分を含んでもよい。タッチ検出装置は、ユーザのタッチ方位を検出し、タッチ操作による信号を検出して、信号をタッチコントローラに伝送する。タッチコントローラは、タッチ検出装置からタッチ情報を受信し、それをタッチ点座標に変換してプロセッサ６１０に送り、プロセッサ６１０からのコマンドを受信して実行する。また、タッチパネル６０７１は、抵抗式、静電容量式、赤外線式、表面弾性波式など、複数の方式により実現することができる。ユーザ入力部６０７は、タッチパネル６０７１に加えて、他の入力装置６０７２を含んでもよい。具体的には、他の入力装置６０７２は、物理キーボード、機能キー（例えば、音量制御ボタン、スイッチボタンなど）、トラックボール、マウス、ジョイスティックを含み得るが、それらに限定されず、ここでは、詳しく説明しない。
【０１８７】
さらに、タッチパネル６０７１は、表示パネル６０６１上に被覆可能であり、タッチパネル６０７１は、タッチパネル６０７１上又は近傍でのタッチ操作を検出すると、プロセッサ６１０に送信してタッチイベントの種類を決定する。その後、プロセッサ６１０は、タッチイベントの種類に応じて表示パネル６０６１に対応する視覚出力を提供する。図６では、タッチパネル６０７１と表示パネル６０６１は、２つの別個の構成要素としてユーザ機器の入出力機能を実現するが、一部の実施例では、タッチパネル６０７１と表示パネル６０６１を集積してユーザ機器の入出力機能を実現してもよく、ここでは具体的に限定しない。インターフェース部６０８は、外部装置がユーザ機器６００に接続するためのインターフェースである。例えば、外部装置は、有線又は無線ヘッドセットポート、外部電源（又はバッテリチャージャ）ポート、有線又は無線データポート、メモリカードポート、識別モジュールを有する装置を接続するためのポート、オーディオ入出力（Ｉ／Ｏ）ポート、ビデオＩ／Ｏポート、ヘッドセットポートなどを含み得る。インターフェース部６０８は、外部装置から入力（例えば、データ情報、電力など）を受信し、受信した入力をユーザ機器６００内の１つ以上の素子に伝送するために使用されてもよく、又はユーザ機器６００と外部装置との間でデータを伝送するために使用されてもよい。
【０１８８】
メモリ６０９は、ソフトウェアプログラムや各種データを記憶する。メモリ６０９は、主として、オペレーティングシステム（ＯＳ）、少なくとも１つの機能に必要なアプリケーション（例えば、音声再生機能、画像再生機能など）などを記憶可能な記憶プログラム領域と、ハンドセットの使用に応じて作成されたデータ（例えば、音声データ、電話帳など）などを記憶可能な記憶データ領域と、を含み得る。また、メモリ６０９は、高速ランダムアクセスメモリを含んでもよく、例えば、少なくとも１つの磁気ディスク記憶デバイス、フラッシュメモリデバイスのような不揮発性メモリ、又は他の揮発性固体記憶デバイスをさらに含んでもよい。
【０１８９】
プロセッサ６１０は、ユーザ機器のの制御センターであり、ユーザ機器全体の各部を様々なインターフェース及び回路で接続し、メモリ６０９内に記憶されたソフトウェアプログラム及び／又はモジュールを運行／又は実行したり、メモリ６０９に記憶されたデータを呼び出したりすることにより、ユーザ機器の様々な機能を実行し、データ処理を行い、ユーザ機器全体のモニタリングを行う。プロセッサ６１０は、１つ以上の処理部を含み得る。あるいは、プロセッサ６１０は、オペレーティングシステムや、ユーザインターフェース、アプリケーションなどを主に処理するアプリケーションプロセッサと、無線通信を主に処理するモデムプロセッサとを集積してもよい。なお、上記のモデムプロセッサは、プロセッサ６１０に集積されなくてもよい。
【０１９０】
ユーザ機器６００は、各構成要素に電力を供給するための電源６１１（例えば、バッテリ）をさらに含んでもよく、あるいは、電源６１１は、電源管理システムを介してプロセッサ６１０と論理的に接続されてもよく、これにより、電源管理システムで、充放電管理、及び消費電力管理などの機能を実現することができる。
【０１９１】
また、ユーザ機器６００は、いくつかの図示しない機能ブロックを含み、ここではその説明を省略する。
【０１９２】
本開示の実施例は、プロセッサによって実行されると、上記のチャネルと信号の伝送方法のステップを実施させるコンピュータプログラムを記憶したコンピュータ可読記憶媒体を提供する。
【０１９３】
本明細書に記載されたこれらの実施例は、ハードウェア、ソフトウェア、ファームウェア、ミドルウェア、マイクロコード、又はそれらの組み合わせによって実現されてもよいことを理解されたい。ハードウェア実現の場合、処理ユニットは、１つ又は複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略称ＡＳＩＣ）、デジタル信号プロセッサ（Ｄｉｇｉｔａｌ  Ｓｉｇｎａｌ  Ｐｒｏｃｅｓｓｏｒ、略称ＤＳＰ）、デジタル信号処理機器（ＤＳＰ  Ｄｅｖｉｃｅ、略称ＤＳＰＤ）、プログラマブル論理機器（Ｐｒｏｇｒａｍｍａｂｌｅ  Ｌｏｇｉｃ  Ｄｅｖｉｃｅ、略称ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、略称ＦＰＧＡ）、汎用プロセッサ、コントローラ、マイクロコントローラ、マイクロプロセッサ、本開示に記載された機能を実行するための他の電子ユニット又はそれらの組み合せにおいて実現され得る。
【０１９４】
ソフトウェアの実現について、本開示に記載された技術は、本明細書に記載された機能を実行するモジュール（例えば、プロセス、関数等）によって実現され得る。ソフトウェアコードは、メモリに記憶され、プロセッサによって実行され得る。メモリは、プロセッサ内に実現されてもよいし、プロセッサの外部に実現されてもよい。本明細書における各実施例は、漸進的に記載されており、各実施例は他の実施例との相違点を中心に説明されている。各実施例間で同一又は類似の部分については、互いに参照されていればよい。
【０１９５】
本開示の実施例が、方法、装置、又はコンピュータプログラム製品として提供され得ることを当業者は理解するであろう。したがって、本開示の実施例は、完全なハードウェアの実施例、完全なソフトウェアの実施例、又はソフトウェア及びハードウェアを組み合わせた実施例の形態を採用することができる。さらに、本開示の実施形態は、コンピュータ使用可能なプログラムコードを含む１つ又は複数のコンピュータ使用可能な記憶媒体（ディスクメモリ、ＣＤ−ＲＯＭ、光メモリ等を含むがこれらに限定されない）で実施できるコンピュータプログラム製品の形態を採用することができる。
【０１９６】
本開示の実施例は、本開示の実施例による方法、端末機器（システム）、及びコンピュータプログラム製品のフローチャート及び／又はブロック図を参照して説明される。フローチャート及び／又はブロック図における各プロセス及び／又はブロック、並びにフローチャート及び／又はブロック図におけるプロセス及び／又はブロックの組み合わせは、コンピュータプログラム命令によって実現されることを理解されたい。これらのコンピュータプログラム命令は、汎用コンピュータ、専用コンピュータ、組み込みプロセッサ、又は他のプログラム可能なデータ処理端末機器のプロセッサに提供されて１つのマシンを生成することにより、コンピュータ又はその他のプログラム可能なデータ処理端末機器のプロセッサによって実行される命令は、フローチャートの１つ又は複数のプログラム及び／又はブロック図の１つ又は複数のブロックで指定される機能を実現するための装置を生成する。
【０１９７】
これらのコンピュータプログラム命令は、コンピュータ又は他のプログラム可能なデータ処理端末機器が特定の方法で動作するように指示することができるコンピュータ可読メモリに記憶されてもよく、こうして、該コンピュータ可読メモリに記憶された命令は、命令装置を含む製品を生成させ、該命令装置は、フローチャートの１つ又は複数のプログラム及び／又はブロック図の１つ又は複数のブロックで指定される機能を実現する。
【０１９８】
これらのコンピュータプログラム命令は、コンピュータ又は他のプログラム可能なデータ処理端末機器にインストールされ、コンピュータ又は他のプログラム可能な端末機器で一連の操作ステップを実行させ、コンピュータが実現する処理を生成させ、これにより、コンピュータ又は他のプログラム可能な端末機器上で実行される命令は、フローチャートの１つ又は複数のプロセス及び／又はブロック図の１つ又は複数のブロックで指定される機能を実現するためのステップを提供する。
本開示の実施例の好ましい実施例を説明してきたが、当業者は、基本的な創造的概念を知った上で、さらなる変更及び修正をこれらの実施例に加えることができる。したがって、添付の特許請求の範囲は、好ましい実施例ならびに本開示の実施例の範囲内にあるすべての変更及び変形を含むものとして解釈されることを意図している。
【０１９９】
また、本明細書では、第１、第２等のような関係用語は、単に１つの実体又は操作を他の実体又は操作と区別するために使用されるだけであり、必ずしもそのような実体又は操作の間のいかなる実際の関係又は順序も要求又は暗示するものではないことを理解されたい。また、「備える」、「含む」又はそれらの任意の他の変形は、非排他的な包含をカバーすることを意図し、一連の要素を含むプロセス、方法、物品、又は端末機器は、それらの要素だけでなく、明示的に列挙されていない他の要素、又はそのようなプロセス、方法、物品、又は端末機器に固有の要素も含むものとする。「……を含む」という語句によって定義される要素は、これ以上の限定がない限り、前記要素を含むプロセス、方法、物品、又は端末機器における同じ要素の存在を排除するものではない。
【０２００】
以上、本発明の好ましい実施形態について説明したが、本開示に記載された原理から逸脱しない範囲で、当業者が様々な修正及び変更を加えることができるが、それらの修正及び変更も本開示の保護範囲内に含まれるものとする。
【符号の説明】
【０２０１】
３１  送信モジュール
４１  受信モジュール
５００  ネットワーク側機器
５０１  プロセッサ
５０２  送受信機
５０３  メモリ
５０４  ユーザインターフェース
６００  ユーザ機器
６０１  プロセッサ
６０２  ネットワークモジュール
６０３  音声出力部
６０４  入力部
６０５  センサ
６０６  表示部
６０７  ユーザ入力部
６０８  インターフェース部
６０９  メモリ
６１０  プロセッサ
６１１  電源
６０４１  グラフィックプロセッサ
６０４２  マイク
６０６１  表示パネル
６０７１  タッチパネル
６０７２  入力装置
【図１】
2021520128.tif 000026
【図２】
2021520128.tif 000027
【図３】
2021520128.tif 000028
【図４】
2021520128.tif 000029
【図５】
2021520128.tif 000030
【図６】
2021520128.tif 000031
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
受信側通信機器に適用するチャネルと信号の伝送方法であって、
少なくとも２つのデータ伝送リソースを伝送する時、信号及びチャネルのうちの少なくとも１つである前記データ伝送リソースを、前記データ伝送リソースの準同一位置ＱＣＬ情報及び所定規則のうちの少なくとも１つに従って受信するステップを有する、方法。
【請求項２】
前記信号は、参照信号ＲＳを含む、請求項１に記載のチャネルと信号の伝送方法。
【請求項３】
前記ＱＣＬ情報は、タイプＤのＱＣＬ情報を含み、前記伝送方法は、具体的に、
前記少なくとも２つのデータ伝送リソースを同じシンボル上で多重化して伝送できるかどうかを判断するステップと、
前記少なくとも２つのデータ伝送リソースを同じシンボル上で多重化して伝送できる場合、前記データ伝送リソースのＱＣＬ情報を決定し、決定されたＱＣＬ情報を用いて同じシンボル上で対応するデータ伝送リソースを受信するステップと、
前記少なくとも２つのデータ伝送リソースを同じシンボル上で多重化して伝送できない場合、前記少なくとも２つのデータ伝送リソースのそれぞれのＱＣＬ情報を用いて、対応するデータ伝送リソースを受信するか、又は、前記少なくとも２つのデータ伝送リソースの優先度を決定し、そのうちの最も優先度の高いデータ伝送リソースを受信するステップと、有する、請求項１に記載のチャネルと信号の伝送方法。
【請求項４】
前記の前記少なくとも２つの前記データ伝送リソースを同じシンボル上で多重化して伝送できる場合、前記データ伝送リソースのＱＣＬ情報を決定し、決定されたＱＣＬ情報を用いて同じシンボル上で対応するデータ伝送リソースを受信するステップは、
前記少なくとも２つのデータ伝送リソースが同じＱＣＬ情報を有する場合、前記同じＱＣＬ情報を用いて前記少なくとも２つの前記データ伝送リソースを受信するステップ、又は
前記少なくとも２つのデータ伝送リソースが異なるＱＣＬ情報を有する場合、そのうちの最も高い優先度のデータ伝送リソースのＱＣＬ情報を用いて、前記少なくとも２つの前記データ伝送リソースを受信するか、又はそのうちの最も優先度の高いデータ伝送リソースを受信するステップ、を有する、請求項３に記載のチャネルと信号の伝送方法。
【請求項５】
Ａ．前記少なくとも２つの前記データ伝送リソースのうち、ネットワーク側機器が設定又は指示したＱＣＬ情報が有効であるデータ伝送リソースの優先度は、ネットワーク側機器が設定又は指示したＱＣＬ情報が有効でないデータ伝送リソースの優先度よりも高くとする方式と、
Ｂ．前記少なくとも２つの前記データ伝送リソースのうち、非周期的に伝送されるデータ伝送リソースの優先度が周期的に伝送されるデータ伝送リソースの優先度より高くとする方式と、
Ｃ．少なくとも２つの非周期的に伝送されるデータ伝送リソースのうち、ネットワーク側機器が設定又は指示したＱＣＬ情報が最近に有効であるデータ伝送リソースの優先度は、最も高くとする方式と、
Ｄ．異なるセルの周期的に伝送されるデータ伝送リソースのうち、プライマリサービングセルＰＣｅｌｌのデータ伝送リソースの優先度は、セカンダリサービングセルＳＣｅｌｌのデータ伝送リソースの優先度より高くとする方式と、
Ｅ．前記少なくとも２つのデータ伝送リソースのうち、物理ダウンリンク制御チャネルＰＤＣＣＨの優先度は、物理ダウンリンク共用チャネルＰＤＳＣＨの優先度より高く、ＰＤＳＣＨの優先度はチャネル状態情報参照信号ＣＳＩ−ＲＳの優先度より高くとする方式と、
Ｆ．前記少なくとも２つの前記データ伝送リソースのうち、物理アップリンク共用チャネルＰＵＳＣＨの優先度は、物理アップリンク制御チャネルＰＵＣＣＨの優先度より高く、ＰＵＣＣＨの優先度はサウンディング参照信号ＳＲＳの優先度より高くとする方式と、
のうちの少なくとも１つの方式でデータ伝送リソースの優先度を決定する、請求項３又は４に記載のチャネルと信号の伝送方法。
【請求項６】
前記周期的に伝送されるデータ伝送リソースは、同期信号ブロックＳＳＢ、周期的ＣＳＩ−ＲＳ、半永続的ＣＳＩ−ＲＳ、周期的ＳＲＳ、半永続的ＳＲＳ、ＰＤＣＣＨ、ＰＵＣＣＨ、半静的スケジューリングＰＤＳＣＨ、半静的スケジューリングＰＵＳＣＨのうちの少なくとも１つを含み、
前記非周期的に伝送されるデータ伝送リソースは、非周期的ＣＳＩ−ＲＳ、非周期的ＳＲＳ、動的スケジューリングＰＤＳＣＨ、動的スケジューリングＰＵＳＣＨのうちの少なくとも１つを含む、請求項５に記載のチャネルと信号の伝送方法。
【請求項７】
前記データ伝送リソースがダウンリンクに適用される場合、前記データ伝送リソースは、
ＳＳＢとＰＤＳＣＨ、
ＣＳＩ−ＲＳとＰＤＳＣＨ、
ＰＤＣＣＨとＰＤＳＣＨ、
ＣＳＩ−ＲＳとＰＤＣＣＨ、
ＣＳＩ−ＲＳとＳＳＢ、
ＰＤＣＣＨとＰＤＣＣＨ、
ＣＳＩ−ＲＳとＣＳＩ−ＲＳ、
ＰＤＳＣＨとＰＤＳＣＨ、
無線リソース管理ＲＲＭ用の参照信号ＲＳ及び他のチャネル又は信号、
のうちの少なくとも１つの組み合わせを含み、
さらに、前記データ伝送リソースがアップリンクに適用される場合、前記データ伝送リソースは、
ＰＵＣＣＨとＰＵＣＣＨ、
ＰＵＳＣＨとＰＵＳＣＨ、
ＳＲＳとＳＲＳ、
のうちの少なくとも１つの組み合わせを含む、請求項１に記載のチャネルと信号の伝送方法。
【請求項８】
受信側に適用する通信機器であって、
少なくとも２つのデータ伝送リソースを伝送する時、信号及びチャネルのうちの少なくとも１つである前記データ伝送リソースを、前記データ伝送リソースの準同一位置ＱＣＬ情報及び所定規則のうちの少なくとも１つに従って受信する受信モジュールを備える、通信機器。
【請求項９】
前記信号は、参照信号ＲＳを含む、請求項８に記載の通信機器。
【請求項１０】
前記ＱＣＬ情報は、タイプＤのＱＣＬ情報を含み、
前記受信モジュールは、具体的に、
前記少なくとも２つのデータ伝送リソースを同じシンボル上で多重化して伝送できるかどうかを判断し、
前記少なくとも２つのデータ伝送リソースを同じシンボル上で多重化して伝送できる場合、前記データ伝送リソースのＱＣＬ情報を決定し、決定されたＱＣＬ情報を用いて同じシンボル上で対応するデータ伝送リソースを受信し、
前記少なくとも２つのデータ伝送リソースを同じシンボル上で多重化して伝送できない場合、前記少なくとも２つのデータ伝送リソースのそれぞれのＱＣＬ情報を用いて、対応するデータ伝送リソースを受信するか、又は、前記少なくとも２つのデータ伝送リソースの優先度を決定し、そのうちの最も優先度の高いデータ伝送リソースを受信することに用いられる、請求項８に記載の通信機器。
【請求項１１】
前記受信モジュールが、少なくとも２つの前記データ伝送リソースを同じシンボル上で多重化して伝送できる場合、前記データ伝送リソースのＱＣＬ情報を決定し、決定されたＱＣＬ情報を用いて同じシンボル上で対応するデータ伝送リソースを受信することは、
前記少なくとも２つのデータ伝送リソースが同じＱＣＬ情報を有する場合、前記同じＱＣＬ情報を用いて前記少なくとも２つの前記データ伝送リソースを受信すること、又は
前記少なくとも２つのデータ伝送リソースが異なるＱＣＬ情報を有する場合、そのうちの最も高い優先度のデータ伝送リソースのＱＣＬ情報を用いて、前記少なくとも２つの前記データ伝送リソースを受信するか、又はそのうちの最も優先度の高いデータ伝送リソースを受信すること、を有する、請求項１０に記載の通信機器。
【請求項１２】
Ａ．前記少なくとも２つの前記データ伝送リソースのうち、ネットワーク側機器が設定又は指示したＱＣＬ情報が有効であるデータ伝送リソースの優先度は、ネットワーク側機器が設定又は指示したＱＣＬ情報が有効でないデータ伝送リソースの優先度よりも高くとする方式と、
Ｂ．前記少なくとも２つの前記データ伝送リソースのうち、非周期的に伝送されるデータ伝送リソースの優先度が周期的に伝送されるデータ伝送リソースの優先度より高くとする方式と、
Ｃ．少なくとも２つの非周期的に伝送されるデータ伝送リソースのうち、ネットワーク側機器が設定又は指示したＱＣＬ情報が最近に有効であるデータ伝送リソースの優先度は、最も高くとする方式と、
Ｄ．異なるセルの周期的に伝送されるデータ伝送リソースのうち、プライマリサービングセルＰＣｅｌｌのデータ伝送リソースの優先度は、セカンダリサービングセルＳＣｅｌｌのデータ伝送リソースの優先度より高くとする方式と、
Ｅ．前記少なくとも２つのデータ伝送リソースのうち、物理ダウンリンク制御チャネルＰＤＣＣＨの優先度は、物理ダウンリンク共用チャネルＰＤＳＣＨの優先度より高く、ＰＤＳＣＨの優先度はチャネル状態情報参照信号ＣＳＩ−ＲＳの優先度より高くとする方式と、
Ｆ．前記少なくとも２つの前記データ伝送リソースのうち、物理アップリンク共用チャネルＰＵＳＣＨの優先度は、物理アップリンク制御チャネルＰＵＣＣＨの優先度より高く、ＰＵＣＣＨの優先度はサウンディング参照信号ＳＲＳの優先度より高くとする方式と、
のうちの少なくとも１つの方式でデータ伝送リソースの優先度を決定する、請求項１０又は１１に記載の通信機器。
【請求項１３】
前記周期的に伝送されるデータ伝送リソースは、同期信号ブロックＳＳＢ、周期的ＣＳＩ−ＲＳ、半永続的ＣＳＩ−ＲＳ、周期的ＳＲＳ、半永続的ＳＲＳ、ＰＤＣＣＨ、ＰＵＣＣＨ、半静的スケジューリングＰＤＳＣＨ、半静的スケジューリングＰＵＳＣＨのうちの少なくとも１つを含み、
前記非周期的に伝送されるデータ伝送リソースは、非周期的ＣＳＩ−ＲＳ、非周期的ＳＲＳ、動的スケジューリングＰＤＳＣＨ、動的スケジューリングＰＵＳＣＨのうちの少なくとも１つを含む、請求項１２に記載の通信機器。
【請求項１４】
前記データ伝送リソースがダウンリンクに適用される場合、前記データ伝送リソースは、
ＳＳＢとＰＤＳＣＨ、
ＣＳＩ−ＲＳとＰＤＳＣＨ、
ＰＤＣＣＨとＰＤＳＣＨ、
ＣＳＩ−ＲＳとＰＤＣＣＨ、
ＣＳＩ−ＲＳとＳＳＢ、
ＰＤＣＣＨとＰＤＣＣＨ、
ＣＳＩ−ＲＳとＣＳＩ−ＲＳ、
ＰＤＳＣＨとＰＤＳＣＨ、
無線リソース管理ＲＲＭ用の参照信号ＲＳ及び他のチャネル又は信号、
のうちの少なくとも１つの組み合わせを含み、
さらに、前記データ伝送リソースがアップリンクに適用される場合、前記データ伝送リソースは、
ＰＵＣＣＨとＰＵＣＣＨ、
ＰＵＳＣＨとＰＵＳＣＨ、
ＳＲＳとＳＲＳ、
のうちの少なくとも１つの組み合わせを含む、請求項８に記載の通信機器。
【請求項１５】
プロセッサによって実行されると、請求項１〜７のいずれか１項に記載のチャネルと信号の伝送方法のステップを実現させるコンピュータプログラムを記憶する、コンピュータ可読記憶媒体。
【国際調査報告】
2021520128.tif 000032
2021520128.tif 000033
2021520128.tif 000034
2021520128.tif 000035